(57)【特許請求の範囲】
【請求項１】
テープ状の磁気記録媒体であって、
基体と、
前記基体上に設けられた下地層と、
前記下地層上に設けられた磁性層と
を備え、
前記基体は、ポリエステルを含み、
前記下地層および前記磁性層は、潤滑剤を含み、
前記磁性層は、多数の孔部が設けられた表面を有し、
前記表面の算術平均粗さＲａは、２．５ｎｍ以下であり、
前記磁気記録媒体が洗浄、乾燥された状態において測定された、前記磁気記録媒体の全体のＢＥＴ比表面積は、３．５ｍ2／ｇ以上７．０ｍ2／ｇ以下であり、
前記磁性層の垂直方向における角形比は、６５％以上であり、
前記磁性層の平均厚みは、８０ｎｍ以下であり、
前記磁気記録媒体の平均厚みは、５．６μｍ以下であり、
前記磁性層にはサーボパターンが記録され、前記サーボパターンの非直線性を示す統計値σSWは、２４ｎｍ以下である磁気記録媒体。
【請求項２】
前記統計値σSWは、２３ｎｍ以下である請求項１に記載の磁気記録媒体。
【請求項３】
前記統計値σSWは、２０ｎｍ以下である請求項１に記載の磁気記録媒体。
【請求項４】
前記角形比は、７０％以上である請求項１に記載の磁気記録媒体。
【請求項５】
前記算術平均粗さＲａは、２．２ｎｍ以下である請求項１に記載の磁気記録媒体。
【請求項６】
前記磁気記録媒体に加わる張力が１．２Ｎであるときの前記磁性層の表面と磁気ヘッドの間の動摩擦係数μAと、前記磁気記録媒体に加わる張力が０．４Ｎであるときの前記磁性層の表面と前記磁気ヘッドの間の動摩擦係数μBとの摩擦係数比（μB／μA）は、１．０以上２．０以下である請求項１に記載の磁気記録媒体。
【請求項７】
前記磁気記録媒体に加わる張力が０．６Ｎであるときの前記磁性層の表面と磁気ヘッドの間の動摩擦係数μCに関して、走行５回目の動摩擦係数μC（５）と走行１０００回目の動摩擦係数μC（１０００）との摩擦係数比（μC（１０００）／μC（５））は、１．０以上２．０以下である請求項１に記載の磁気記録媒体。
【請求項８】
前記磁気記録媒体が洗浄、乾燥された状態において測定された、前記磁気記録媒体の全体の平均細孔直径は、６ｎｍ以上１１ｎｍ以下である請求項１に記載の磁気記録媒体。
【請求項９】
長手方向における前記磁性層の保磁力Ｈｃは、２０００Ｏｅ以下である請求項１に記載の磁気記録媒体。
【請求項１０】
前記磁性層は、５以上のサーボバンドを有する請求項１に記載の磁気記録媒体。
【請求項１１】
前記表面の面積に対する前記サーボバンドの総面積の割合は、４．０％以下である請求項１０に記載の磁気記録媒体。
【請求項１２】
前記サーボバンドの幅は、９５μｍ以下である請求項１０に記載の磁気記録媒体。
【請求項１３】
前記磁性層は、複数のデータトラックを形成可能に構成され、
前記データトラックの幅は、２０００ｎｍ以下である請求項１に記載の磁気記録媒体。
【請求項１４】
前記磁性層は、磁化反転間距離Ｌの最小値が４８ｎｍ以下となるようにデータを記録可能に構成されている請求項１に記載の磁気記録媒体。
【請求項１５】
前記基体の平均厚みは、４．２μｍ以下である請求項１に記載の磁気記録媒体。
【請求項１６】
前記潤滑剤が、脂肪酸および脂肪酸エステルから選ばれる少なくとも１種を含み、
前記脂肪酸が下記一般式（１）または（２）で示される化合物を含み、且つ、前記脂肪酸エステルが下記一般式（３）または（４）で示される化合物を含む請求項１に記載の磁気記録媒体。
ＣＨ3（ＣＨ2）kＣＯＯＨ  ・・・（１）
（但し、前記一般式（１）において、ｋは１４以上２２以下の範囲から選ばれる整数である。）
ＣＨ3（ＣＨ2）nＣＨ＝ＣＨ（ＣＨ2）mＣＯＯＨ  ・・・（２）
（但し、前記一般式（２）において、ｎとｍとの和は１２以上２０以下の範囲から選ばれる整数である。）
ＣＨ3（ＣＨ2）pＣＯＯ（ＣＨ2）qＣＨ3  ・・・（３）
（但し、前記一般式（３）において、ｐは１４以上２２以下の範囲から選ばれる整数であり、ｑは２以上５以下の範囲から選ばれる整数である。）
ＣＨ3（ＣＨ2）rＣＯＯ−（ＣＨ2）sＣＨ（ＣＨ3）2  ・・・（４）
（但し、前記一般式（４）において、ｒは１４以上２２以下の範囲から選ばれる整数であり、ｓは１以上３以下の範囲から選ばれる整数である。）
【請求項１７】
前記磁性層は、磁性粉を含み、
前記磁性粉は、六方晶フェライト、ε酸化鉄またはＣｏ含有スピネルフェライトを含む請求項１に記載の磁気記録媒体。
【請求項１８】
前記六方晶フェライトは、ＢａおよびＳｒのうちの少なくとも１種を含み、
前記ε酸化鉄は、ＡｌおよびＧａのうちの少なくとも１種を含む請求項１７に記載の磁気記録媒体。
【請求項１９】
請求項１に記載された前記磁気記録媒体と、
前記磁気記録媒体の長手方向にかかるテンションを調整するための調整情報を書き込む領域を有する記憶部と
を備えるカートリッジ。
【請求項２０】
記録再生装置と通信を行う通信部と、
前記通信部を介して前記記録再生装置から受信した前記調整情報を前記領域に記憶し、かつ、前記記録再生装置の要求に応じて、前記領域から前記調整情報を読み出し、前記通信部を介して前記記録再生装置に送信する制御部と
をさらに備える請求項１９に記載のカートリッジ。
【発明の詳細な説明】
【技術分野】
【０００１】
本開示は、磁気記録媒体およびカートリッジに関する。
【背景技術】
【０００２】
電子データの保存のために、テープ状の磁気記録媒体が幅広く利用されている。この磁気記録媒体では、種々の特性向上が検討されている。
【０００３】
特許文献１では、優れた走行安定性と電磁変換特性を両立させるために、磁性層形成面の表面の二乗平均表面粗さ（Ｒｑ）を４．０ｎｍ以下とし、磁性層形成面の表面プロファイルにおける歪度（Ｓｋ：Skewness）を−１以上＋１以下とすることが記載されている。
【先行技術文献】
【特許文献】
【０００４】
【特許文献１】特開２００６−６５９５３号公報
【発明の概要】
【発明が解決しようとする課題】
【０００５】
テープ状の磁気記録媒体は通常、カートリッジケースに収容される。カートリッジの記録容量をさらに増やすために、カートリッジに収容される磁気記録媒体をより薄くして（全厚を低減して）、カートリッジのテープ長を増加させることが考えられる。しかしながら、全厚が薄い磁気記録媒体は走行安定性に劣る場合がある。特には繰り返し記録および／または再生を行う場合に、全厚が薄い磁気記録媒体は、その表面状態、特には摩擦に関する表面状態が変化し、走行安定性が劣化する場合がある。
【０００６】
本開示の目的は、磁気記録媒体の全厚が薄い場合であっても、優れた走行安定性と電磁変換特性を両立することができる磁気記録媒体およびカートリッジを提供することにある。
【課題を解決するための手段】
【０００７】
上述の課題を解決するために、第１の開示は、テープ状の磁気記録媒体であって、基体と、基体上に設けられた下地層と、下地層上に設けられた磁性層とを備え、基体は、ポリエステルを含み、下地層および磁性層は、潤滑剤を含み、磁性層は、多数の孔部が設けられた表面を有し、表面の算術平均粗さＲａは、２．５ｎｍ以下であり、磁気記録媒体が洗浄、乾燥された状態において測定された、磁気記録媒体の全体のＢＥＴ比表面積は、３．５ｍ2／ｇ以上７．０ｍ2／ｇ以下であり、磁性層の垂直方向における角形比は、６５％以上であり、磁性層の平均厚みは、８０ｎｍ以下であり、磁気記録媒体の平均厚みは、５．６μｍ以下であり、磁性層にはサーボパターンが記録され、サーボパターンの非直線性を示す統計値σSWは、２４ｎｍ以下である磁気記録媒体である。
【０００８】
第２の開示は、第１の開示の磁気記録媒体と、磁気記録媒体の長手方向にかかるテンションを調整するための調整情報を書き込む領域を有する記憶部とを備えるカートリッジである。
【図面の簡単な説明】
【０００９】
【図１】図１は、本開示の第１の実施形態に係る記録再生システムの構成の一例を示す概略図である。
【図２】図２は、カートリッジの構成の一例を示す分解斜視図である。
【図３】図３は、カートリッジメモリの構成の一例を示すブロック図である。
【図４】図４は、磁気テープの構成の一例を示す断面図である。
【図５】図５は、データバンドおよびサーボバンドのレイアウトの一例を示す概略図である。
【図６】図６は、データバンドの構成の一例を示す拡大図である。
【図７】図７は、サーボバンドの構成の一例を示す拡大図である。
【図８】図８は、統計値σSWの測定に用いられるヘッドユニットの模式図である。
【図９】図９Ａ、図９Ｂはそれぞれ、磁性層のＴＥＭ写真の例を示す図である。
【図１０】図１０Ａ、図１０Ｂはそれぞれ、磁性面と磁気ヘッドとの間の摩擦係数の測定方法を説明するための概略図である。
【図１１】図１１は、サーボライタの構成の一例を示す模式図である。
【図１２】図１２Ａは、サーボ信号書込ヘッドの構成の一例を示す斜視図である。図１２Ｂは、図１２ＡのＸIIＢ−ＸIIＢ線に沿った断面図である。
【図１３】図１３は、データ記録時における記録再生装置の動作の一例について説明するためのフローチャートである。
【図１４】図１４は、データ再生時における記録再生装置の動作の一例について説明するためのフローチャートである。
【図１５】図１５は、本開示の第２の実施形態に係る記録再生システムの構成の一例を示す概略図である。
【図１６】図１６は、データ記録時における記録再生装置の動作の一例について説明するためのフローチャートである。
【図１７】図１７は、データ再生時における記録再生装置の動作の一例について説明するためのフローチャートである。
【発明を実施するための形態】
【００１０】
本開示の実施形態について以下の順序で説明する。なお、以下の実施形態の全図においては、同一または対応する部分には同一の符号を付す。
１  第１の実施形態
２  第２の実施形態
３  変形例
【００１１】
＜１  第１の実施形態＞
［記録再生システムの構成］
図１は、本開示の第１の実施形態に係る記録再生システム１００の構成の一例を示す概略図である。記録再生システム１００は、磁気テープ記録再生システムであり、カートリッジ１０と、カートリッジ１０をロードおよびアンロード可能に構成された記録再生装置５０とを備える。
【００１２】
［カートリッジの構成］
図２は、カートリッジ１０の構成の一例を示す分解斜視図である。カートリッジ１０は、ＬＴＯ（Linear Tape-Open）規格に準拠した磁気テープカートリッジであり、下シェル１２Ａと上シェル１２Ｂとで構成されるカートリッジケース１２の内部に、磁気テープ（テープ状の磁気記録媒体）ＭＴが巻かれたリール１３と、リール１３の回転をロックするためのリールロック１４およびリールスプリング１５と、リール１３のロック状態を解除するためのスパイダ１６と、下シェル１２Ａと上シェル１２Ｂに跨ってカートリッジケース１２に設けられたテープ引出口１２Ｃを開閉するスライドドア１７と、スライドドア１７をテープ引出口１２Ｃの閉位置に付勢するドアスプリング１８と、誤消去を防止するためのライトプロテクト１９と、カートリッジメモリ１１とを備える。リール１３は、中心部に開口を有する略円盤状であって、プラスチック等の硬質の材料からなるリールハブ１３Ａとフランジ１３Ｂとにより構成される。磁気テープＭＴの一端部には、リーダーピン２０が設けられている。
【００１３】
カートリッジメモリ１１は、カートリッジ１０の１つの角部の近傍に設けられている。カートリッジ１０が記録再生装置５０にロードされた状態において、カートリッジメモリ１１は、記録再生装置５０のリーダライタ５７と対向するようになっている。カートリッジメモリ１１は、ＬＴＯ規格に準拠した無線通信規格で記録再生装置５０、具体的にはリーダライタ５７と通信を行う。
【００１４】
［カートリッジメモリの構成］
図３は、カートリッジメモリ１１の構成の一例を示すブロック図である。カートリッジメモリ１１は、規定の通信規格でリーダライタ５７と通信を行うアンテナコイル（通信部）３１と、アンテナコイル３１により受信した電波から、誘導起電力を用いて発電、整流して電源を生成する整流・電源回路３２と、アンテナコイル３１により受信した電波から、同じく誘導起電力を用いてクロックを生成するクロック回路３３と、アンテナコイル３１により受信した電波の検波およびアンテナコイル３１により送信する信号の変調を行う検波・変調回路３４と、検波・変調回路３４から抽出されるデジタル信号から、コマンドおよびデータを判別し、これを処理するための論理回路等で構成されるコントローラ（制御部）３５と、情報を記憶するメモリ（記憶部）３６とを備える。また、カートリッジメモリ１１は、アンテナコイル３１に対して並列に接続されたキャパシタ３７を備え、アンテナコイル３１とキャパシタ３７により共振回路が構成される。
【００１５】
メモリ３６は、カートリッジ１０に関連する情報等を記憶する。メモリ３６は、不揮発性メモリ（Non Volatile Memory：ＮＶＭ）である。メモリ３６の記憶容量は、好ましくは約３２ＫＢ以上である。
【００１６】
メモリ３６は、第１の記憶領域３６Ａと第２の記憶領域３６Ｂとを有する。第１の記憶領域３６Ａは、ＬＴＯ８以前のＬＴＯ規格のカートリッジメモリ（以下「従来のカートリッジメモリ」という。）の記憶領域に対応しており、ＬＴＯ８以前のＬＴＯ規格に準拠した情報を記憶するための領域である。ＬＴＯ８以前のＬＴＯ規格に準拠した情報は、例えば製造情報（例えばカートリッジ１０の固有番号等）、使用履歴（例えばテープ引出回数（Thread Count）等）等である。
【００１７】
第２の記憶領域３６Ｂは、従来のカートリッジメモリの記憶領域に対する拡張記憶領域に相当する。第２の記憶領域３６Ｂは、付加情報を記憶するための領域である。ここで、付加情報とは、ＬＴＯ８以前のＬＴＯ規格で規定されていない、カートリッジ１０に関連する情報を意味する。付加情報の例としては、テンション調整情報、管理台帳データ、Index情報、または磁気テープＭＴに記憶された動画のサムネイル情報等が挙げられるが、これらのデータに限定されるものではない。テンション調整情報は、磁気テープＭＴの長手方向にかかるテンションを調整するための情報である。テンション調整情報は、磁気テープＭＴに対するデータ記録時における、隣接するサーボバンド間の距離（隣接するサーボバンドに記録されたサーボパターン間の距離）を含む。隣接するサーボバンド間の距離は、磁気テープＭＴの幅に関連する幅関連情報の一例である。サーボバンド間の距離の詳細については後述する。以下の説明において、第１の記憶領域３６Ａに記憶される情報を「第１の情報」といい、第２の記憶領域３６Ｂに記憶される情報を「第２の情報」ということがある。
【００１８】
メモリ３６は、複数のバンクを有していてもよい。この場合、複数のバンクうちの一部のバンクにより第１の記憶領域３６Ａが構成され、残りのバンクにより第２の記憶領域３６Ｂが構成されてもよい。
【００１９】
アンテナコイル３１は、電磁誘導により誘起電圧を誘起する。コントローラ３５は、アンテナコイル３１を介して、規定の通信規格で記録再生装置５０と通信を行う。具体的には例えば、相互認証、コマンドの送受信またはデータのやり取り等を行う。
【００２０】
コントローラ３５は、アンテナコイル３１を介して記録再生装置５０から受信した情報をメモリ３６に記憶する。例えば、アンテナコイル３１を介して記録再生装置５０から受信したテンション調整情報をメモリ３６の第２の記憶領域３６Ｂに記憶する。コントローラ３５は、記録再生装置５０の要求に応じて、メモリ３６から情報を読み出し、アンテナコイル３１を介して記録再生装置５０に送信する。例えば、記録再生装置５０の要求に応じて、メモリ３６の第２の記憶領域３６Ｂからテンション調整情報を読み出し、アンテナコイル３１を介して記録再生装置５０に送信する。
【００２１】
［磁気テープの構成］
図４は、磁気テープＭＴの構成の一例を示す断面図である。磁気テープＭＴは、テープ状の磁気記録媒体であり、長尺状の基体４１と、基体４１の一方の主面（第１の主面）上に設けられた下地層４２と、下地層４２上に設けられた磁性層４３と、基体４１の他方の主面（第２の主面）上に設けられたバック層４４とを備える。なお、下地層４２およびバック層４４は、必要に応じて備えられるものであり、無くてもよい。磁気テープＭＴは、垂直記録型の磁気記録媒体であってもよいし、長手記録型の磁気記録媒体であってもよい。
【００２２】
磁気テープＭＴは長尺のテープ状を有し、記録再生の際には長手方向に走行される。なお、磁性層４３の表面が、記録再生装置５０が備える磁気ヘッド５６が走行される表面となる。磁気テープＭＴは、記録用ヘッドとしてリング型ヘッドを備える記録再生装置で用いられることが好ましい。磁気テープＭＴは、１５００ｎｍ以下または１０００ｎｍ以下のデータトラック幅でデータを記録可能に構成された記録再生装置に用いられることが好ましい。
【００２３】
（基体）
基体４１は、下地層４２および磁性層４３を支持する非磁性支持体である。基体４１は、長尺のフィルム状を有する。基体４１の平均厚みの上限値は、好ましくは４．２μｍ以下、より好ましくは３．８μｍ以下、さらにより好ましくは３．４μｍ以下である。基体４１の平均厚みの上限値が４．２μｍ以下であると、１データカートリッジ内に記録できる記録容量を一般的な磁気テープよりも高めることができる。基体４１の平均厚みの下限値は、好ましくは３μｍ以上、より好ましくは３．２μｍ以上である。基体４１の平均厚みの下限値が３μｍ以上であると、基体４１の強度低下を抑制することができる。
【００２４】
基体４１の平均厚みは以下のようにして求められる。まず、１／２インチ幅の磁気テープＭＴを準備し、それを２５０ｍｍの長さに切り出し、サンプルを作製する。続いて、サンプルの基体４１以外の層（すなわち下地層４２、磁性層４３およびバック層４４）をＭＥＫ（メチルエチルケトン）または希塩酸等の溶剤で除去する。次に、測定装置としてMitutoyo社製レーザーホロゲージ（LGH-110C）を用いて、サンプル（基体４１）の厚みを５点以上の位置で測定し、それらの測定値を単純に平均（算術平均）して、基体４１の平均厚みを算出する。なお、測定位置は、サンプルから無作為に選ばれるものとする。
【００２５】
基体４１は、ポリエステルを含む。基体４１がポリエステルを含むことで、基体４１の長手方向のヤング率を低減することができる。したがって、走行時における磁気テープＭＴの長手方向のテンションを記録再生装置５０により調整することで、磁気テープＭＴの幅を一定またはほぼ一定に保つことができる。
【００２６】
ポリエステルは、例えば、ポリエチレンテレフタレート（ＰＥＴ）、ポリエチレンナフタレート（ＰＥＮ）、ポリブチレンテレフタレート（ＰＢＴ）、ポリブチレンナフタレート（ＰＢＮ）、ポリシクロヘキシレンジメチレンテレフタレート（ＰＣＴ）、ポリエチレン−ｐ−オキシベンゾエート（ＰＥＢ）およびポリエチレンビスフェノキシカルボキシレートのうちの少なくとも１種を含む。基体４１が２種以上のポリエステルを含む場合、それらの２種以上のポリエステルは混合されていてもよいし、共重合されていてもよいし、積層されていてもよい。ポリエステルの末端および側鎖の少なくとも一方が変性されていてもよい。
【００２７】
基体４１にポリエステルが含まれていることは、例えば、次のようにして確認される。まず、基体４１の平均厚みの測定方法と同様にして、サンプルの基体４１以外の層を除去する。次に、赤外吸収分光法（Infrared Absorption Spectrometry：ＩＲ）によりサンプル（基体４１）のＩＲスペクトルを取得する。このＩＲスペクトルに基づき、基体４１にポリエステルが含まれていることを確認することができる。
【００２８】
基体４１は、ポリエステル以外に、例えば、ポリアミド、ポリイミドおよびポリアミドイミドのうちの少なくとも１種をさらに含んでいてもよいし、ポリアミド、ポリイミド、ポリアミドイミド、ポリオレフィン類、セルロース誘導体、ビニル系樹脂、およびその他の高分子樹脂のうちの少なくとも１種をさらに含んでいてもよい。ポリアミドは、芳香族ポリアミド（アラミド）であってもよい。ポリイミドは、芳香族ポリイミドであってもよい。ポリアミドイミドは、芳香族ポリアミドイミドであってもよい。
【００２９】
基体４１が、ポリエステル以外の高分子樹脂を含む場合、基体４１はポリエステルを主成分とすることが好ましい。ここで、主成分とは、基体４１に含まれる高分子樹脂のうち、最も含有量（質量比率）が多い成分を意味する。基体４１がポリエステル以外の高分子樹脂を含む場合、ポリエステルと、ポリエステル以外の高分子樹脂は、混合されていてもよいし、共重合されていてもよい。
【００３０】
基体４１は、長手方向および幅方向に二軸延伸されていてもよい。基体４１に含まれる高分子樹脂は、基体４１の幅方向に対して斜め方向に配向されていることが好ましい。
【００３１】
（磁性層）
磁性層４３は、信号を磁化パターンにより記録するための記録層である。磁性層４３は、垂直記録型の記録層であってもよいし、長手記録型の記録層であってもよい。磁性層４３は、例えば、磁性粉、結着剤および潤滑剤を含む。磁性層４３が、必要に応じて、帯電防止剤、研磨剤、硬化剤、防錆剤および非磁性補強粒子等のうちの少なくとも１種の添加剤をさらに含んでいてもよい。
【００３２】
磁性層４３は、多数の孔部４３Ａが設けられた表面を有している。これらの多数の孔部４３Ａには、潤滑剤が蓄えられている。多数の孔部４３Ａは、磁性層４３の表面に対して垂直方向に延設されていることが好ましい。磁性層４３の表面に対する潤滑剤の供給性を向上することができるからである。なお、多数の孔部４３Ａの一部が垂直方向に延設されていてもよい。
【００３３】
磁性層４３の表面の算術平均粗さＲａは、２．５ｎｍ以下、好ましくは２．２ｎｍ以下、より好ましくは１．９ｎｍ以下である。算術平均粗さＲａが２．５ｎｍ以下であると、スペーシングロスによる出力低下を抑制することができるため、優れた電磁変換特性を得ることができる。磁性層４３の表面の算術平均粗さＲａの下限値は、好ましくは１．０ｎｍ以上、より好ましくは１．２ｎｍ以上、さらにより好ましくは１．４ｎｍ以上である。磁性層４３の表面の算術平均粗さＲａの下限値が１．０ｎｍ以上であると、摩擦の増大による走行性の低下を抑制することができる。
【００３４】
算術平均粗さＲａは次のようにして求められる。まず、磁性層４３の表面をＡＦＭ（Atomic Force Microscope）により観察し、４０μｍ×４０μｍのＡＦＭ像を得る。ＡＦＭとしてはDigital Instruments社製、Nano Scope IIIa D3100を用い、カンチレバーとしてはシリコン単結晶製のものを用い(注１)、タッピング周波数として、２００〜４００Ｈｚのチューニングにて測定を行う。次に、ＡＦＭ像を５１２×５１２（＝２６２，１４４）個の測定点に分割し、各測定点にて高さＺ（ｉ）（ｉ：測定点番号、ｉ＝１〜２６２，１４４）を測定し、測定した各測定点の高さＺ（ｉ）を単純に平均（算術平均）して平均高さ（平均面）Ｚave（＝（Ｚ（１）＋Ｚ（２）＋・・・＋Ｚ（２６２，１４４））／２６２，１４４）を求める。続いて、各測定点での平均中心線からの偏差Ｚ”（ｉ）（＝Ｚ（ｉ）−Ｚave）を求め、算術平均粗さＲａ［ｎｍ］（＝（Ｚ”（１）＋Ｚ”（２）＋・・・＋Ｚ”（２６２，１４４））／２６２，１４４）を算出する。この際には、画像処理として、Flatten order2、ならびに、planefit order 3 XYによりフィルタリング処理を行ったものをデータとして用いる。
(注１)Nano World社製  SPMプローブ  NCH  ノーマルタイプ  PointProbe  L(カンチレバー長)＝１２５μｍ
【００３５】
磁気テープＭＴが洗浄、乾燥された状態において測定された、磁気テープＭＴの全体のＢＥＴ比表面積の下限値は、３．５ｍ2／ｇ以上、好ましくは４ｍ2／ｇ以上、より好ましくは４．５ｍ2／ｇ以上、さらにより好ましくは５ｍ2／ｇ以上である。ＢＥＴ比表面積の下限値が３．５ｍ2／ｇ以上であると、繰り返し記録または再生を行った後にも（すなわち磁気ヘッド５６を磁気テープＭＴの表面に接触させて繰り返し走行を行った後にも）、磁性層４３の表面と磁気ヘッド５６の間に対する潤滑剤の供給量の低下を抑制することができる。したがって、動摩擦係数の増加を抑制することができる。よって、優れた走行安定性を得ることができる。
【００３６】
磁気テープＭＴが洗浄、乾燥された状態において測定された、磁気テープＭＴの全体のＢＥＴ比表面積の上限値は、７ｍ2／ｇ以下、好ましくは６ｍ2／ｇ以下、より好ましくは５．５ｍ2／ｇ以下である。ＢＥＴ比表面積の上限値が７ｍ2／ｇ以下であると、多数回走行後にも潤滑剤を枯渇することなく十分に供給できる。したがって、動摩擦係数の増加を抑制することができる。よって、優れた走行安定性を得ることができる。
【００３７】
磁気テープＭＴが洗浄、乾燥された状態において測定された、磁気テープＭＴの全体の平均細孔直径は、６ｎｍ以上１１ｎｍ以下、好ましくは７ｎｍ以上１０ｎｍ以下、より好ましくは７．５ｎｍ以上１０ｎｍ以下である。平均細孔直径が６ｎｍ以上１１ｎｍ以下であると、上述した動摩擦係数の増加を抑制する効果をさらに向上することができる。したがって、さらに優れた走行安定性を得ることができる。
【００３８】
磁気テープＭＴが洗浄、乾燥された状態において測定された、磁気テープＭＴの全体のＢＥＴ比表面積および磁気テープＭＴの全体の細孔分布（細孔容積および平均細孔直径（脱着時最大細孔容積の細孔直径である））は以下のようにして求められる。まず、面積０．１２６５ｍ2より１割程度大きいサイズの磁気テープＭＴをヘキサン中（磁気テープＭＴが十分に浸漬できる量、例えば、１５０ｍＬ）に２４時間浸したのち、自然乾燥させ、面積０．１２６５ｍ2（例えば、乾燥後の磁気テープＭＴの両端５０ｃｍを切り落とし、テープ幅×１０ｍを準備する。）のサイズに切り出すことにより、測定サンプルを作製する。次に、比表面積・細孔分布測定装置を用いて、ＢＥＴ比表面積を求める。また、比表面積・細孔分布測定装置を用いて、ＢＪＨ法により細孔分布（細孔容積および平均細孔直径）を求める。以下に、測定装置および測定条件を示す。このようにして、細孔の平均直径が測定される。
測定環境：室温
測定装置：Micromeritics社製3FLEX
測定吸着質：Ｎ2ガス
測定圧力範囲（Ｐ／Ｐ0（相対圧））：０〜０．９９５
前記測定圧力範囲に関して、圧力は以下の表１の通りに変化される。以下の表１における圧力値は相対圧Ｐ／Ｐ0である。以下の表１において、例えばステップ１において、開始圧０．０００から到達圧０．０１０へ、１０秒当たり０．００１変化するように、圧力が変化される。圧力が到達圧に達したら、次のステップにおける圧力変化が行われる。ステップ２〜１０においても同様である。ただし、各ステップにおいて、圧力が平衡に達していない場合は、装置は圧力が平衡になるのを待ってから次のステップに移行する。
【表１】
0006624332.tif 000002
【００３９】
磁性層４３は、図５に示すように、複数のサーボバンドＳＢと複数のデータバンドＤＢとを予め有している。複数のサーボバンドＳＢは、磁気テープＭＴの幅方向に等間隔で設けられている。隣り合うサーボバンドＳＢの間には、データバンドＤＢが設けられている。サーボバンドＳＢは、データの記録または再生時に磁気ヘッド５６（具体的にはサーボリードヘッド５６Ａ、５６Ｂ）をガイドするためのものである。サーボバンドＳＢには、磁気ヘッド５６のトラッキング制御をするためのサーボパターン（サーボ信号）が予め書き込まれている。データバンドＤＢには、ユーザデータが記録される。
【００４０】
磁性層４３の表面の面積Ｓに対するサーボバンドＳＢの総面積ＳSBの割合ＲS（＝（ＳSB／Ｓ）×１００）の上限値は、高記録容量を確保する観点から、好ましくは４．０％以下、より好ましくは３．０％以下、さらにより好ましくは２．０％以下である。一方、磁性層４３の表面の面積Ｓに対するサーボバンドＳＢの総面積ＳSBの割合ＲSの下限値は、５以上のサーボバンドＳＢを確保する観点から、好ましくは０．８％以上である。
【００４１】
磁性層４３の表面全体の面積Ｓに対するサーボバンドＳＢの総面積ＳSBの比率ＲSは、以下のようにして求められる。磁気テープＭＴを、フェリコロイド現像液（株式会社シグマハイケミカル製、シグマーカーＱ）を用いて現像し、その後、現像した磁気テープＭＴを光学顕微鏡で観察し、サーボバンド幅ＷSBおよびサーボバンドＳＢの本数を測定する。次に、以下の式から割合ＲSを求める。
割合ＲS［％］＝（（（サーボバンド幅ＷSB）×（サーボバンドＳＢの本数））／（磁気テープＭＴの幅））×１００
【００４２】
サーボバンドＳＢの本数は、好ましくは５以上、より好ましくは５＋４ｎ（但し、ｎは正の整数である。）以上である。サーボバンドＳＢの本数が５以上であると、磁気テープＭＴの幅方向の寸法変化によるサーボ信号への影響を抑制し、よりオフトラックが少ない安定した記録再生特性を確保できる。サーボバンドＳＢの本数の上限値は特に限定されるものではないが、例えば３３以下である。
【００４３】
サーボバンドＳＢの本数は、上記の比率ＲSの算出方法と同様にして求められる。
【００４４】
サーボバンド幅ＷSBの上限値は、高記録容量を確保する観点から、好ましくは９５μｍ以下、より好ましくは６０μｍ以下、さらにより好ましくは３０μｍ以下である。サーボバンド幅ＷSBの下限値は、好ましくは１０μｍ以上である。１０μｍ未満のサーボバンド幅ＷSBのサーボ信号を読み取り可能な記録ヘッド５６は製造が困難である。
【００４５】
サーボバンド幅ＷSBの幅は、上記の比率ＲSの算出方法と同様にして求められる。
【００４６】
磁性層４３は、図６に示すように、データバンドＤＢに複数のデータトラックＴｋを形成可能に構成されている。データトラック幅Ｗの上限値は、トラック記録密度を向上し、高記録容量を確保する観点から、好ましくは２０００ｎｍ以下、より好ましくは１５００ｎｍ以下、さらにより好ましくは１０００ｎｍ以下である。データトラック幅Ｗの下限値は、磁性粒子サイズを考慮すると、好ましくは２０ｎｍ以上である。
【００４７】
磁性層４３は、高記録容量を確保する観点から、磁化反転間距離の最小値Ｌが好ましくは４８ｎｍ以下、より好ましくは４４ｎｍ以下、さらにより好ましくは４０ｎｍ以下となるように、データを記録可能に構成されている。磁化反転間距離の最小値Ｌの下限値は、磁性粒子サイズを考慮すると、好ましくは２０ｎｍ以上である。
【００４８】
磁性層４３は、磁化反転間距離の最小値Ｌとデータトラック幅Ｗが好ましくはＷ／Ｌ≦３５、より好ましくはＷ／Ｌ≦３０、さらにより好もしくはＷ／Ｌ≦２５となるように、データを記録可能に構成されている。磁化反転間距離の最小値Ｌが一定値であり、磁化反転間距離の最小値Ｌとトラック幅ＷがＷ／Ｌ＞３５であると（すなわちトラック幅Ｗが大きいと）、トラック記録密度が上がらないため、記録容量を十分に確保できなくなる虞がある。また、トラック幅Ｗが一定値であり、磁化反転間距離の最小値Ｌとトラック幅ＷがＷ／Ｌ＞３５であると（すなわち磁化反転間距離の最小値Ｌが小さいと）、ビット長さが小さくなり、線記録密度が上がるが、スペーシングロスの影響により、電磁変換特性（例えばＳＮＲ（Signal-to-Noise Ratio））が著しく悪化してしまう虞がある。したがって、記録容量を確保しながら、電磁変換特性（例えばＳＮＲ）の悪化を抑制するためには、上記のようにＷ／ＬがＷ／Ｌ≦３５の範囲にあることが好ましい。Ｗ／Ｌの下限値は特に限定されるものではないが、例えば１≦Ｗ／Ｌである。
【００４９】
データトラック幅Ｗは以下のようにして求められる。データが全面に記録された磁気テープＭＴを準備し、その磁性層４３のデータバンドＤＢ部分のデータ記録パターンを磁気力顕微鏡（Magnetic Force Microscope：ＭＦＭ）を用いて観察し、ＭＦＭ像を得る。ＭＦＭとしてはDigital Instruments社製Dimension3100とその解析ソフトが用いられる。当該ＭＦＭ像の測定領域は１０μｍ×１０μｍとし、当該１０μｍ×１０μｍの測定領域は５１２×５１２（＝２６２，１４４）個の測定点に分割される。場所の異なる３つの１０μｍ×１０μｍ測定領域についてＭＦＭによる測定が行われ、すなわち３つのＭＦＭ像が得られる。得られた３つのＭＦＭ像から、Dimension3100に付属の解析ソフトを用いて、トラック幅を１０ヶ所測定し平均値（単純平均である）をとる。当該平均値が、データトラック幅Ｗである。なお、上記ＭＦＭの測定条件は掃引速度：１Ｈｚ、使用チップ：ＭＦＭＲ−２０、リフトハイト：２０ｎｍ、補正：Flatten order 3である。
【００５０】
磁化反転間距離の最小値Ｌは以下のようにして求められる。データが全面に記録された磁気テープＭＴを準備し、その磁性層４３のデータバンドＤＢ部分のデータ記録パターンを磁気力顕微鏡（Magnetic Force Microscope：ＭＦＭ）を用いて観察し、ＭＦＭ像を得る。ＭＦＭとしてはDigital Instruments社製Dimension3100とその解析ソフトが用いられる。当該ＭＦＭ像の測定領域は２μｍ×２μｍとし、当該２μｍ×２μｍの測定領域は５１２×５１２（＝２６２，１４４）個の測定点に分割される。場所の異なる３つの２μｍ×２μｍ測定領域についてＭＦＭによる測定が行われ、すなわち３つのＭＦＭ像が得られる。得られたＭＦＭ像の記録パターンの二次元の凹凸チャートからビット間距離を５０個測定する。当該ビット間距離の測定は、Dimension3100に付属の解析ソフトを用いて行われる。測定された５０個のビット間距離のおよそ最大公約数となる値を磁化反転間距離Ｌの最小値とする。なお、測定条件は掃引速度：１Ｈｚ、使用チップ：ＭＦＭＲ−２０、リフトハイト：２０ｎｍ、補正：Flatten order 3である。
【００５１】
サーボパターンは、磁化領域であって、磁気テープ製造時にサーボライトヘッドにより磁性層４３の特定の領域を特定方向に磁化することによって形成される。サーボバンドＳＢのうち、サーボパターンが形成されていない領域（以下「非パターン領域」という。）は、磁性層４３が磁化された磁化領域であってもよいし、磁性層４３が磁化されていない非磁化領域であってもよい。非パターン領域が磁化領域である場合、サーボパターン形成領域と非パターン領域とは、異なる方向（例えば逆方向）に磁化されている。
【００５２】
ＬＴＯ規格では、サーボバンドＳＢには、図７に示すように、磁気テープＭＴの幅方向に対して傾斜した複数のサーボストライプ（線状の磁化領域）１１３からなるサーボパターンが形成されている。
【００５３】
サーボバンドＳＢは、複数のサーボフレーム１１０を含んでいる。各サーボフレーム１１０は、１８本のサーボストライプ１１３から構成されている。具体的には、各サーボフレーム１１０は、サーボサブフレーム１（１１１）およびサーボサブフレーム２（１１２）から構成される。
【００５４】
サーボサブフレーム１（１１１）は、Ａバースト１１１ＡおよびＢバースト１１１Ｂから構成される。Ｂバースト１１１Ｂは、Ａバースト１１１Ａに隣接して配置されている。Ａバースト１１１Ａは、磁気テープＭＴの幅方向に対して所定角度φで傾斜し規定間隔隔てて形成された５本のサーボストライプ１１３を備えている。図７中では、これらの５本のサーボストライプ１１３に磁気テープＭＴのＥＯＴ（End Of Tape）からＢＯＴ（Beginning Of Tape）に向って符号Ａ1、Ａ2、Ａ3、Ａ4、Ａ5を付して示している。Ｂバースト１１１Ｂは、Ａバースト１１１Ａと同様に、磁気テープＭＴの幅方向に対して所定角度φで傾斜し規定間隔隔てて形成された５本のサーボストライプ１１３を備えている。図７中では、これらの５本のサーボストライプ１１３に磁気テープＭＴのＥＯＴからＢＯＴに向って符号Ｂ1、Ｂ2、Ｂ3、Ｂ4、Ｂ5を付して示している。Ｂバースト１１１Ｂのサーボストライプ１１３は、Ａバースト１１１Ａのサーボストライプ１１３とは逆向きに傾斜している。すなわち、Ａバースト１１１Ａのサーボストライプ１１３とＢバースト１１１Ｂのサーボストライプ１１３はハの字状に配置されている。
【００５５】
サーボサブフレーム２（１１２）は、Ｃバースト１１２ＣおよびＤバースト１１２Ｄから構成される。Ｄバースト１１２Ｄは、Ｃバースト１１２Ｃに隣接して配置されている。Ｃバースト１１２Ｃは、テープ幅方向に対して所定角度φで傾斜し規定間隔隔てて形成された４本のサーボストライプ１１３を備えている。図７中では、これらの４本のサーボストライプ１１３に磁気テープＭＴのＥＯＴからＢＯＴに向って符号Ｃ1、Ｃ2、Ｃ3、Ｃ4を付して示している。Ｄバースト１１２Ｄは、Ｃバースト１１２Ｃと同様に、テープ幅方向に対して所定角度φで傾斜し規定間隔隔てて形成された４本のサーボストライプ１１３を備えている。図７中では、これらの４本のサーボストライプ１１３に磁気テープＭＴのＥＯＴからＢＯＴに向って符号Ｄ1、Ｄ2、Ｄ3、Ｄ4を付して示している。Ｄバースト１１２Ｄのサーボストライプ１１３は、Ｃバースト１１２Ｃのサーボストライプ１１３とは逆向きに傾斜している。すなわち、Ｃバースト１１２Ｃのサーボストライプ１１３とＤバースト１１２Ｄのサーボストライプ１１３はハの字状に配置されている。
【００５６】
Ａバースト１１１Ａ、Ｂバースト１１１Ｂ、Ｃバースト１１２Ｃ、Ｄバースト１１２Ｄにおけるサーボストライプ１１３の上記所定角度φは、例えば５°以上２５°以下であり、特には１１°以上２５°以下でありうる。
【００５７】
サーボバンドＳＢを磁気ヘッド５６で読み取りことにより、テープ速度および磁気ヘッドの縦方向の位置を取得するための情報が得られる。テープ速度は、４つのタイミング信号（Ａ１−Ｃ１、Ａ２−Ｃ２、Ａ３−Ｃ３、Ａ４−Ｃ４）間の時間から計算される。ヘッド位置は、前述の４つのタイミング信号間の時間および別の４つのタイミング信号（Ａ１−Ｂ１、Ａ２−Ｂ２、Ａ３−Ｂ３、Ａ４−Ｂ４）間の時間から計算される。
【００５８】
図７に示すように、サーボパターン（すなわち複数のサーボストライプ１１３）は、磁気テープＭＴの長手方向に向って直線的に配列されていることが好ましい。すなわち、サーボバンドＳＢは、長手方向に直線状を有していることが好ましい。
【００５９】
サーボパターンの配列の非直線性（サーボバンドＳＢの非直線性）を示す統計値σSWが、２４ｎｍ以下、好ましくは２３ｎｍ以下、より好ましくは２０ｎｍ以下、さらにより好ましくは１５ｎｍ以下である。統計値σSWが２４ｎｍ以下であると、サーボパターンが磁気テープＭＴの幅方向に振れることを抑制することができる。すなわち、優れた直線性を有するサーボパターンの配列（サーボバンドＳＢ）を得ることができる。このため、磁気テープＭＴ上のデータが書かれている位置に適切に磁気ヘッド５６をサーボパターン（サーボバンドＳＢ）によりガイドすることができるので、優れた走行安定性を得ることができる。したがって、データの読み込み時のエラーの発生を抑制することができる。
【００６０】
サーボパターンの配列の非直線性（サーボバンドＳＢの非直線性）を示す統計値σSWは、走行安定性の向上の観点からすると、小さければ小さいほど好ましく、例えば０以上である。
【００６１】
サーボバンドの非直線性を示す統計値σSWは、磁気テープＭＴの磁性層４３の表面に記録されたサーボパターンを読み取るための磁気ヘッドを備えているテープ走行装置（Tape Transportation（Mountain Engineering II, Inc.））を用いて測定される。当該磁気ヘッドは、市販入手可能なＬＴＯ８フルハイトドライブに採用されているものであってよい。当該磁気ヘッドは、当該テープ走行装置に固定された状態で用いられる。
【００６２】
当該テープ走行装置を用いて、磁気テープＭＴを、その磁性層４３側の表面が当該磁気ヘッド表面上を摺動するように、２ｍ／ｓで走行させる。当該磁気ヘッドの表面の読み取り素子を用いて、磁気テープＭＴのサーボパターンからサーボ信号の再生波形をデジタルオシロスコープを用いて読み出す。すなわち、磁気的なサーボパターンが電気的なサーボ信号に変換される。サーボ信号の再生波形を十分な精度で取得する為に、デジタルオシロスコープのサンプリングレートは1秒間に20,000,000個以上の速度で行うものとする。
【００６３】
１つのサーボバンドに記録されているサーボパターンを読み取るために、磁気テープＭＴの長手方向に並べて配置される２つの読み取り素子が用いられる。当該２つの読み取り素子は、ＬＴＯ８フルハイトドライブに採用されている磁気ヘッドユニットに備えられているものである。当該２つの読み取り素子について、図８を参照しながら以下で説明する。
【００６４】
図８は、当該磁気ヘッドユニットの模式図である。図８に示されるヘッドユニット３００は、磁気テープＭＴの長手方向に沿って並べて配置される３つのヘッド部３００Ａ、３００Ｂ、および３００Ｃを有する。ヘッド部３００Ａは、２つのサーボヘッド３２０Ａ１および３２０Ａ２並びに複数の記録ヘッド３４０を有する。ヘッド部３００Ａ中のエリプシス様の点は、記録ヘッド３４０が並んでいることを意味する。ヘッド部３００Ｂは、２つのサーボヘッド３２０Ｂ１および３２０Ｂ２並びに複数の再生ヘッド３５０を有する。ヘッド部３００Ｂ中のエリプシス様の点は、再生ヘッド３５０が並んでいることを意味する。ヘッド部３００Ｃは、２つのサーボヘッド３２０Ｃ１および３２０Ｃ２並びに複数の記録ヘッド３４０を有する。ヘッド部３００Ｃ中のエリプシス様の点は、記録ヘッド３４０が並んでいることを意味する。
【００６５】
上記統計値σSWを得るために用いられる上記２つの読み取り素子は、ヘッド部３００Ａに含まれるサーボヘッド３２０Ａ１およびヘッド部３００Ｂに含まれるサーボヘッド３２０Ｂ１のみである。他のサーボヘッドは用いられない。以下で、当該２つの読み取り素子のうち、巻き出し側の読み取り素子（サーボヘッド３２０Ａ１）を読み取り素子ａといい、巻取り側の読み取り素子（サーボヘッド３２０Ｂ１）を読み取り素子ｂともいう。
【００６６】
各読み取り素子によって得られたサーボ信号の再生波形をデジタルオシロスコープ等によって取得する。取得した其々のサーボ信号の再生波形に基づき、「サーボパターンの中心線と、サーボパターン上の読み取り素子の実通過位置との相対差ｐ」を算出する。具体的には、得られたサーボ信号の再生波形の形状とサーボパターンそのものの形状とを用いて、相対差ｐが算出される。
【００６７】
相対差ｐは、以下の計算式により算出される。
【数１】
0006624332.tif 000003
【００６８】
相対差ｐの上記計算式について、図７を参照しながら以下で説明する。上記計算式中の上記差分（Ｂa1−Ａa1）は、ストライプＢ1が読み取り素子ａによって読み取られた時間とストライプＡ1が読み取り素子ａによって読み取られた時間との間の差［ｓｅｃ］であり、ストライプＡ1に起因する信号ピークとストライプＢ1に起因する信号ピークとの間の間隔およびテープ走行速度（ｍ／ｓ）から求められる。当該２つの信号ピーク間の間隔は、上記得られたサーボ信号の再生波形の形状から求められる。上記差分（Ｂa1−Ａa1）は、読み取り素子のサーボパターン上の実際の走行位置（図７におけるactual pass）における、両ストライプが読み取られるタイミングの差に相当する。同様に、他の差分の項も、対応する２つのストライプに起因する信号ピークの間隔とテープ走行速度とから求められる。また、読み取り素子ｂによって得られた信号ピークに基づき、同様に相対差ｐが算出される。
【００６９】
上記サーボパターンそのものの形状から、上記計算式中のアジマス角φが求められる。アジマス角φは、磁気テープＭＴをフェリコロイド現像液（株式会社シグマハイケミカル製、シグマ―カーQ）で現像し、万能工具顕微鏡（TOPCON TUM-220ES）およびデータ処理装置（TOPCON CA-1B）を用いて求められる。また、上記サーボパターンそのものの形状から、サーボバンドの中心（図７におけるcenter line）におけるストライプＡ1とストライプＢ1との距離（図７および上記計算式におけるＸ）およびストライプＡ1とストライプＣ1との距離（図７および上記計算式におけるＹ）が求められる。テープ長さ方向の任意の箇所において、５０個のサーボフレームを選択し、各々のサーボフレームにおいてＸおよびＹを求め、５０個のデータを単純平均したものを、上記計算式において用いるＸおよびＹとする。
【００７０】
相対差ｐが、磁気テープＭＴの長手方向に沿って、連続する１０２４個のサーボサブフレームについてそれぞれ算出される。すなわち、１０２４個の相対差ｐが取得される。例えばサーボサブフレームの間隔が７６μｍである場合は、７６μｍ毎に相対差ｐが取得される。読み取り素子ａにより読み取られたサーボ信号に基づき算出された１０２４個の相対差ｐを、ｐａ0、ｐａ1、・・・、およびｐａ1023という。読み取り素子ｂにより読み取られたサーボ信号に基づき算出された１０２４個の相対差ｐを、ｐｂ0、ｐｂ1、・・・、およびｐｂ1023という。
【００７１】
当該磁気ヘッドに対する磁気テープＭＴの幅方向の動きによる影響を除去するために、各位置ｎにおけるｐａとｐｂの差を演算し、Δｐとする。すなわち、Δｐn＝ｐａn−ｐｂnである。ここで、ｎ＝０、１、・・・、および１０２３である。得られたΔｐnに対し、離散ＦＦＴ（フーリエ変換）を行い、ΔＰn（ｎ＝０・・・１０２３）、すなわちΔＰ（ｆ）（ここで、ｆ＝波数［ｃｙｃｌｅ／ｍ］である）を得る。ここで、ΔＰnのＤＣ成分（すなわちｎ＝０）、換言すればΔＰ（∞）、を除去する為に、ΔＰ0を例えば１０-100等、ほぼ０に近い数値に置換する。
【００７２】
また、ΔＰ（ｆ）の単位が［ｎｍ2／Ｈｚ］となる様に上記ＦＦＴを行うものとする。
ΔＰ（ｆ）を得るプロセスを、磁気テープＭＴの長手方向５００ｍ以上に渡って繰り返し、ΔＰ（ｆ）1・・・ΔＰ（ｆ）mを得る。測定ノイズを除去する為、ΔＰ（ｆ）1・・・ΔＰ（ｆ）mを周波数軸上で平均化し、ΔＰ（ｆ）aveを得る。この後、上記の変位差の、実際のドライブ中での挙動ＷＩＰ（ｆ）を見積る為、ΔＰ（ｆ）aveに対し、一般的な２次閉ループ応答のフィルターＣＬＦ（ｆ）を作用させる。すなわち、ＷＩＰ（ｆ）＝｜ＣＬＦ（ｆ）｜2×ΔＰ（ｆ）aveである。ＣＬＦ（ｆ）については後述する。
【００７３】
上記ＷＩＰ（ｆ）を用い、下記式（１）の演算を行う事で、σSWを得る。下記演算におけるｄｆについても後述する。
【数２】
0006624332.tif 000004
【００７４】
一般的な２次閉ループ応答ＣＬＦ（ｓ）は、下式（２）で表すことができる。
【数３】
0006624332.tif 000005
【００７５】
双一次Ｚ変換を用いることによって、ＣＬＦ（ｚ）は下式（３）で表すことができる。
【数４】
0006624332.tif 000006
【００７６】
ｚ＝ｅjωTs、および、ω＝２πｆの関係から、ＣＬＦ（ｆ）は下式（４）で表すことができる。
【数５】
0006624332.tif 000007
【００７７】
以上の式中の各項の意味はそれぞれ以下の通りである。
【数６】
0006624332.tif 000008
【００７８】
磁性層４３の平均厚みｔmの上限値は、８０ｎｍ以下、好ましくは７０ｎｍ以下、より好ましくは５０ｎｍ以下である。磁性層４３の平均厚みｔmの上限値が８０ｎｍ以下であると、記録ヘッドとしてはリング型ヘッドを用いた場合に、反磁界の影響を軽減できるため、さらに優れた電磁変換特性を得ることができる。
【００７９】
磁性層４３の平均厚みｔmの下限値は、好ましくは３５ｎｍ以上である。磁性層４３の平均厚みｔmの下限値が３５ｎｍ以上であると、再生ヘッドとしてはＭＲ型ヘッドを用いた場合に、出力を確保できるため、さらに優れた電磁変換特性を得ることができる。
【００８０】
磁性層４３の平均厚みｔmは以下のようにして求められる。まず、測定対象となる磁気テープＭＴをＦＩＢ法等により加工して薄片化を行う。ＦＩＢ法を使用する場合には、後述の断面のＴＥＭ像を観察する前処理として、保護膜としてカーボン層およびタングステン層を形成する。当該カーボン層は蒸着法により磁気テープＭＴの磁性層４３側の表面およびバック層４４側の表面に形成され、そして、当該タングステン層は蒸着法またはスパッタリング法により磁性層４３側の表面にさらに形成される。当該薄片化は磁気テープＭＴの長さ方向（長手方向）に沿って行われる。すなわち、当該薄片化によって、磁気テープＭＴの長手方向および厚み方向の両方に平行な断面が形成される。
【００８１】
得られた薄片化サンプルの上記断面を、透過型電子顕微鏡（Transmission Electron Microscope：ＴＥＭ）により、下記の条件で観察し、ＴＥＭ像を得る。なお、装置の種類に応じて、倍率および加速電圧は適宜調整されてよい。
装置：ＴＥＭ（日立製作所製Ｈ９０００ＮＡＲ）
加速電圧：３００ｋＶ
倍率：１００，０００倍
【００８２】
次に、得られたＴＥＭ像を用い、磁気テープＭＴの長手方向の少なくとも１０点以上の位置で磁性層４３の厚みを測定する。得られた測定値を単純に平均（算術平均）して得られた平均値を磁性層４３の平均厚みｔm［ｎｍ］とする。なお、上記測定が行われる位置は、試験片から無作為に選ばれるものとする。
【００８３】
（磁性粉）
磁性粉は、複数の磁性粒子を含む。磁性粒子は、例えば、六方晶フェライトを含む粒子（以下「六方晶フェライト粒子」という。）、イプシロン型酸化鉄（ε酸化鉄）を含む粒子（以下「ε酸化鉄粒子」という。）またはＣｏ含有スピネルフェライトを含む粒子（以下「コバルトフェライト粒子」という。）である。磁性粉は、磁気テープＭＴの厚み方向（垂直方向）に優先的に結晶配向していることが好ましい。
【００８４】
（六方晶フェライト粒子）
六方晶フェライト粒子は、例えば、六角板状等の板状を有する。本明細書において、六角坂状は、ほぼ六角坂状を含むものとする。六方晶フェライトは、好ましくはＢａ、Ｓｒ、ＰｂおよびＣａのうちの少なくとも１種、より好ましくはＢａおよびＳｒのうちの少なくとも１種を含む。六方晶フェライトは、具体的には例えばバリウムフェライトまたはストロンチウムフェライトであってもよい。バリウムフェライトは、Ｂａ以外にＳｒ、ＰｂおよびＣａのうちの少なくとも１種をさらに含んでいてもよい。ストロンチウムフェライトは、Ｓｒ以外にＢａ、ＰｂおよびＣａのうちの少なくとも１種をさらに含んでいてもよい。
【００８５】
より具体的には、六方晶フェライトは、一般式ＭＦｅ12Ｏ19で表される平均組成を有する。但し、Ｍは、例えばＢａ、Ｓｒ、ＰｂおよびＣａのうちの少なくとも１種の金属、好ましくはＢａおよびＳｒのうちの少なくとも１種の金属である。Ｍが、Ｂａと、Ｓｒ、ＰｂおよびＣａからなる群より選ばれる１種以上の金属との組み合わせであってもよい。また、Ｍが、Ｓｒと、Ｂａ、ＰｂおよびＣａからなる群より選ばれる１種以上の金属との組み合わせであってもよい。上記一般式においてＦｅの一部が他の金属元素で置換されていてもよい。
【００８６】
磁性粉が六方晶フェライト粒子粉を含む場合、磁性粉の平均粒子サイズは、好ましくは３０ｎｍ以下、より好ましくは１２ｎｍ以上２５ｎｍ以下、さらにより好ましくは１５ｎｍ以上２２ｎｍ以下、特に好ましくは１５ｎｍ以上２０ｎｍ以下、最も好ましくは１５ｎｍ以上１８ｎｍ以下である。磁性粉の平均粒子サイズが３０ｎｍ以下であると、高記録密度の磁気テープＭＴにおいて、さらに優れた電磁変換特性（例えばＳＮＲ）を得ることができる。一方、磁性粉の平均粒子サイズが１２ｎｍ以上であると、磁性粉の分散性がより向上し、さらに優れた電磁変換特性（例えばＳＮＲ）を得ることができる。
【００８７】
磁性粉の平均アスペクト比が、好ましくは１．０以上２．５以下、より好ましくは１．０以上２．１以下、さらにより好ましくは１．０以上１．８以下である。磁性粉の平均アスペクト比が１．０以上２．５以下の範囲内であると、磁性粉の凝集を抑制することができる。また、磁性層４３の形成工程において磁性粉を垂直配向させる際に、磁性粉に加わる抵抗を抑制することができる。したがって、磁性粉の垂直配向性を向上することができる。
【００８８】
磁性粉が六方晶フェライト粒子粉を含む場合、磁性粉の平均粒子サイズおよび平均アスペクト比は以下のようにして求められる。まず、測定対象となる磁気テープＭＴをＦＩＢ法等により加工して薄片化を行う。ＦＩＢ法を使用する場合には、後述の断面のＴＥＭ像を観察する前処理として、保護膜としてカーボン層およびタングステン層を形成する。当該カーボン層は蒸着法により磁気テープＭＴの磁性層４３側の表面およびバック層４４側の表面に形成され、そして、当該タングステン層は蒸着法またはスパッタリング法により磁性層４３側の表面にさらに形成される。当該薄片化は磁気テープＭＴの長さ方向（長手方向）に沿って行われる。すなわち、当該薄片化によって、磁気テープＭＴの長手方向および厚み方向の両方に平行な断面が形成される。
【００８９】
得られた薄片サンプルの上記断面を、透過電子顕微鏡（日立ハイテクノロジーズ社製 H-9500）を用いて、加速電圧：200kV、総合倍率500,000倍で磁性層４３の厚み方向に対して磁性層４３全体が含まれるように断面観察を行い、ＴＥＭ写真を撮影する。次に、撮影したＴＥＭ写真から、観察面の方向に側面を向けており、且つ、粒子の厚みが明らかに確認できる粒子を５０個選び出す。例えば、図９Ａ、図９ＢにＴＥＭ写真の例を示す。図９Ａ、図９Ｂにおいて、例えば矢印ａおよびｄで示される粒子が、その厚みを明らかに確認できるので、選択される。選択された５０個の粒子それぞれの最大板厚ＤＡを測定する。このようにして求めた最大板厚ＤＡを単純に平均（算術平均）して平均最大板厚ＤＡaveを求める。続いて、各磁性粉の板径ＤＢを測定する。粒子の板径ＤＢを測定するために、撮影したＴＥＭ写真から、粒子の板径が明らかに確認できる粒子を５０個選び出す。例えば、図９Ａ、図９Ｂにおいて、例えば矢印ｂおよびｃで示される粒子が、その板径を明らかに確認できるので、選択される。選択された５０個の粒子それぞれの板径ＤＢを測定する。このようにして求めた板径ＤＢを単純平均（算術平均）して平均板径ＤＢaveを求める。平均板径ＤＢaveが、平均粒子サイズである。そして、平均最大板厚ＤＡaveおよび平均板径ＤＢaveから粒子の平均アスペクト比（ＤＢave／ＤＡave）を求める。
【００９０】
磁性粉が六方晶フェライト粒子粉を含む場合、磁性粉の平均粒子体積は、好ましくは５９００ｎｍ3以下、より好ましくは５００ｎｍ3以上３４００ｎｍ3以下、さらにより好ましくは１０００ｎｍ3以上２５００ｎｍ3以下、特に好ましくは１０００ｎｍ3以上１８００ｎｍ3以下、最も好ましくは１０００ｎｍ3以上１５００ｎｍ3以下である。磁性粉の平均粒子体積が５９００ｎｍ3以下であると、磁性粉の平均粒子サイズを３０ｎｍ以下とする場合と同様の効果が得られる。一方、磁性粉の平均粒子体積が５００ｎｍ3以上であると、磁性粉の平均粒子サイズを１２ｎｍ以上とする場合と同様の効果が得られる。
【００９１】
磁性粉の平均粒子体積は以下のようにして求められる。まず、上記の磁性粉の平均粒子サイズの算出方法に関して述べた通り、平均長軸長ＤＡaveおよび平均板径ＤＢaveを求める。次に、以下の式により、磁性粉の平均体積Ｖを求める。
【数７】
0006624332.tif 000009
【００９２】
（ε酸化鉄粒子）
ε酸化鉄粒子は、微粒子でも高保磁力を得ることができる硬磁性粒子である。ε酸化鉄粒子は、球状を有しているか、または立方体状を有している。本明細書において、球状は、ほぼ球状を含むものとする。また、立方体状には、ほぼ立方体状を含むものとする。ε酸化鉄粒子が上記のような形状を有しているため、磁性粒子としてε酸化鉄粒子を用いた場合、磁性粒子として六角板状のバリウムフェライト粒子を用いた場合に比べて、磁気テープＭＴの厚み方向における粒子同士の接触面積を低減し、粒子同士の凝集を抑制することができる。したがって、磁性粉の分散性を高め、さらに優れた電磁変換特性（例えばＳＮＲ）を得ることができる。
【００９３】
ε酸化鉄粒子は、コアシェル型構造を有する。具体的には、ε酸化鉄粒子は、コア部と、このコア部の周囲に設けられた２層構造のシェル部とを備える。２層構造のシェル部は、コア部上に設けられた第１シェル部と、第１シェル部上に設けられた第２シェル部とを備える。
【００９４】
コア部は、ε酸化鉄を含む。コア部に含まれるε酸化鉄は、ε−Ｆｅ2Ｏ3結晶を主相とするものが好ましく、単相のε−Ｆｅ2Ｏ3からなるものがより好ましい。
【００９５】
第１シェル部は、コア部の周囲のうちの少なくとも一部を覆っている。具体的には、第１シェル部は、コア部の周囲を部分的に覆っていてもよいし、コア部の周囲全体を覆っていてもよい。コア部と第１シェル部の交換結合を十分なものとし、磁気特性を向上する観点からすると、コア部の表面全体を覆っていることが好ましい。
【００９６】
第１シェル部は、いわゆる軟磁性層であり、例えば、α−Ｆｅ、Ｎｉ−Ｆｅ合金またはＦｅ−Ｓｉ−Ａｌ合金等の軟磁性体を含む。α−Ｆｅは、コア部に含まれるε酸化鉄を還元することにより得られるものであってもよい。
【００９７】
第２シェル部は、酸化防止層としての酸化被膜である。第２シェル部は、α酸化鉄、酸化アルミニウムまたは酸化ケイ素を含む。α酸化鉄は、例えばＦｅ3Ｏ4、Ｆｅ2Ｏ3およびＦｅＯのうちの少なくとも１種の酸化鉄を含む。第１シェル部がα−Ｆｅ（軟磁性体）を含む場合には、α酸化鉄は、第１シェル部に含まれるα−Ｆｅを酸化することにより得られるものであってもよい。
【００９８】
ε酸化鉄粒子が、上述のように第１シェル部を有することで、熱安定性を確保するためにコア部単体の保磁力Ｈｃを大きな値に保ちつつ、ε酸化鉄粒子（コアシェル粒子）全体としての保磁力Ｈｃを記録に適した保磁力Ｈｃに調整できる。また、ε酸化鉄粒子が、上述のように第２シェル部を有することで、磁気テープＭＴの製造工程およびその工程前において、ε酸化鉄粒子が空気中に暴露されて、粒子表面に錆び等が発生することにより、ε酸化鉄粒子の特性が低下することを抑制することができる。したがって、磁気テープＭＴの特性劣化を抑制することができる。
【００９９】
ε酸化鉄粒子が単層構造のシェル部を有していてもよい。この場合、シェル部は、第１シェル部と同様の構成を有する。但し、ε酸化鉄粒子の特性劣化を抑制する観点からすると、上述したように、ε酸化鉄粒子が２層構造のシェル部を有していることが好ましい。
【０１００】
ε酸化鉄粒子が、上記コアシェル構造に代えて添加剤を含んでいてもよいし、コアシェル構造を有すると共に添加剤を含んでいてもよい。この場合、ε酸化鉄粒子のＦｅの一部が添加剤で置換される。ε酸化鉄粒子が添加剤を含むことによっても、ε酸化鉄粒子全体としての保磁力Ｈｃを記録に適した保磁力Ｈｃに調整できるため、記録容易性を向上することができる。添加剤は、鉄以外の金属元素、好ましくは３価の金属元素、より好ましくはＡｌ、ＧａおよびＩｎのうちの少なくとも１種、さらにより好ましくはＡｌおよびＧａのうちの少なくとも１種である。
【０１０１】
具体的には、添加剤を含むε酸化鉄は、ε−Ｆｅ2-xＭxＯ3結晶（但し、Ｍは鉄以外の金属元素、好ましくは３価の金属元素、より好ましくはＡｌ、ＧａおよびＩｎのうちの少なくとも１種、さらにより好ましくはＡｌおよびＧａのうちの少なくとも１種である。ｘは、例えば０＜ｘ＜１である。）である。
【０１０２】
磁性粉の平均粒子サイズ（平均最大粒子サイズ）は、例えば２２．５ｎｍ以下である。磁性粉の平均粒子サイズ（平均最大粒子サイズ）は、好ましくは２２ｎｍ以下、より好ましくは８ｎｍ以上２２ｎｍ以下、さらにより好ましくは１２ｎｍ以上２２ｎｍ以下、特に好ましくは１２ｎｍ以上１５ｎｍ以下、最も好ましくは１２ｎｍ以上１４ｎｍ以下である。磁気テープＭＴでは、記録波長の１／２のサイズの領域が実際の磁化領域となる。このため、磁性粉の平均粒子サイズを最短記録波長の半分以下に設定することで、さらに優れた電磁変換特性（例えばＳＮＲ）を得ることができる。したがって、磁性粉の平均粒子サイズが２２ｎｍ以下であると、高記録密度の磁気テープＭＴ（例えば４４ｎｍ以下の最短記録波長で信号を記録可能に構成された磁気テープＭＴ）において、さらに優れた電磁変換特性（例えばＳＮＲ）を得ることができる。一方、磁性粉の平均粒子サイズが８ｎｍ以上であると、磁性粉の分散性がより向上し、さらに優れた電磁変換特性（例えばＳＮＲ）を得ることができる。
【０１０３】
磁性粉の平均アスペクト比が、好ましくは１．０以上３．０以下、より好ましくは１．０以上２．５以下、さらにより好ましくは１．０以上２．１以下、特に好ましくは１．０以上１．８以下である。磁性粉の平均アスペクト比が１．０以上３．０以下の範囲内であると、磁性粉の凝集を抑制することができる。また、磁性層４３の形成工程において磁性粉を垂直配向させる際に、磁性粉に加わる抵抗を抑制することができる。したがって、磁性粉の垂直配向性を向上することができる。
【０１０４】
磁性粉がε酸化鉄粒子粉を含む場合、磁性粉の平均粒子サイズおよび平均アスペクト比は、以下のようにして求められる。まず、測定対象となる磁気テープＭＴをＦＩＢ（Focused Ion Beam）法等により加工して薄片化を行う。ＦＩＢ法を使用する場合には、後述の断面のＴＥＭ像を観察する前処理として、保護層としてカーボン層およびタングステン層を形成する。当該カーボン層は蒸着法により磁気テープＭＴの磁性層４３側の表面およびバック層４４側の表面に形成され、そして、当該タングステン層は蒸着法またはスパッタリング法により磁性層４３側の表面にさらに形成される。薄片化は磁気テープＭＴの長さ方向（長手方向）に沿うかたちで行って行われる。すなわち、当該薄片化によって、磁気テープＭＴの長手方向および厚み方向の両方に平行な断面が形成される。
【０１０５】
得られた薄片サンプルの上記断面を、透過電子顕微鏡（日立ハイテクノロジーズ社製 H-9500）を用いて、加速電圧：200kV、総合倍率500,000倍で磁性層４３の厚み方向に対して磁性層４３全体が含まれるように断面観察を行い、ＴＥＭ写真を撮影する。次に、撮影したＴＥＭ写真から、粒子の形状を明らかに確認することができる５０個の粒子を選び出し、各粒子の長軸長ＤＬと短軸長ＤＳを測定する。ここで、長軸長ＤＬとは、各粒子の輪郭に接するように、あらゆる角度から引いた２本の平行線間の距離のうち最大のもの（いわゆる最大フェレ径）を意味する。一方、短軸長ＤＳとは、粒子の長軸（ＤＬ）と直交する方向における粒子の長さのうち最大のものを意味する。続いて、測定した５０個の粒子の長軸長ＤＬを単純に平均（算術平均）して平均長軸長ＤＬaveを求める。このようにして求めた平均長軸長ＤＬaveを磁性粉の平均粒子サイズとする。また、測定した５０個の粒子の短軸長ＤＳを単純に平均（算術平均）して平均短軸長ＤＳaveを求める。そして、平均長軸長ＤＬaveおよび平均短軸長ＤＳaveから粒子の平均アスペクト比（ＤＬave／ＤＳave）を求める。
【０１０６】
磁性粉の平均粒子体積は、好ましくは５６００ｎｍ3以下、より好ましくは２５０ｎｍ3以上５６００ｎｍ3以下、さらにより好ましくは９００ｎｍ3以上５６００ｎｍ3以下、特に好ましくは９００ｎｍ3以上１８００ｎｍ3以下、最も好ましくは９００ｎｍ3以上１５００ｎｍ3以下である。一般的に磁気テープＭＴのノイズは粒子個数の平方根に反比例（すなわち粒子体積の平方根に比例）するため、粒子体積をより小さくすることで、さらに優れた電磁変換特性（例えばＳＮＲ）を得ることができる。したがって、磁性粉の平均粒子体積が５６００ｎｍ3以下であると、磁性粉の平均粒子サイズを２２ｎｍ以下とする場合と同様に、さらに優れた電磁変換特性（例えばＳＮＲ）を得ることができる。一方、磁性粉の平均粒子体積が２５０ｎｍ3以上であると、磁性粉の平均粒子サイズを８ｎｍ以上とする場合と同様の効果が得られる。
【０１０７】
ε酸化鉄粒子が球状を有している場合には、磁性粉の平均粒子体積は以下のようにして求められる。まず、上記の磁性粉の平均粒子サイズの算出方法と同様にして、平均長軸長ＤＬaveを求める。次に、以下の式により、磁性粉の平均体積Ｖを求める。
Ｖ＝（π/６）×ＤＬave 3
【０１０８】
ε酸化鉄粒子が立方体状を有している場合、磁性粉の平均体積は以下のようにして求められる。磁気テープＭＴをＦＩＢ（Focused Ion Beam）法等により加工して薄片化を行う。ＦＩＢ法を使用する場合には、後述の断面のＴＥＭ像を観察する前処理として、保護膜としてカーボン膜およびタングステン薄膜を形成する。当該カーボン膜は蒸着法により磁気テープＭＴの磁性層４３側の表面およびバック層４４側の表面に形成され、そして、当該タングステン薄膜は蒸着法またはスパッタリング法により磁性層４３側の表面にさらに形成される。当該薄片化は磁気テープＭＴの長さ方向（長手方向）に沿って行われる。すなわち、当該薄片化によって、磁気テープＭＴの長手方向および厚み方向の両方に平行な断面が形成される。
【０１０９】
得られた薄片サンプルを透過電子顕微鏡（日立ハイテクノロジーズ社製 H-9500）を用いて、加速電圧：200kV、総合倍率500,000倍で磁性層４３の厚み方向に対して磁性層４３全体が含まれるように断面観察を行い、ＴＥＭ写真を得る。なお、装置の種類に応じて、倍率および加速電圧は適宜調整されてよい。次に、撮影したＴＥＭ写真から粒子の形状が明らかである５０個の粒子を選び出し、各粒子の辺の長さＤＣを測定する。続いて、測定した５０個の粒子の辺の長さＤＣを単純に平均（算術平均）して平均辺長ＤＣaveを求める。次に、平均辺長ＤＣaveを用いて以下の式から磁性粉の平均体積Ｖave（粒子体積）を求める。
Ｖave＝ＤＣave 3
【０１１０】
（コバルトフェライト粒子）
コバルトフェライト粒子は、一軸結晶異方性を有することが好ましい。コバルトフェライト粒子が一軸結晶異方性を有することで、磁性粉を磁気テープＭＴの厚み方向（垂直方向）に優先的に結晶配向させることができる。コバルトフェライト粒子は、例えば、立方体状を有している。本明細書において、立方体状は、ほぼ立方体状を含むものとする。Ｃｏ含有スピネルフェライトが、Ｃｏ以外にＮｉ、Ｍｎ、Ａｌ、ＣｕおよびＺｎのうちの少なくとも１種をさらに含んでいてもよい。
【０１１１】
Ｃｏ含有スピネルフェライトは、例えば以下の式で表される平均組成を有する。
ＣｏxＭyＦｅ2ＯZ
（但し、式中、Ｍは、例えば、Ｎｉ、Ｍｎ、Ａｌ、ＣｕおよびＺｎのうちの少なくとも１種の金属である。ｘは、０．４≦ｘ≦１．０の範囲内の値である。ｙは、０≦ｙ≦０．３の範囲内の値である。但し、ｘ、ｙは（ｘ＋ｙ）≦１．０の関係を満たす。ｚは３≦ｚ≦４の範囲内の値である。Ｆｅの一部が他の金属元素で置換されていてもよい。）
【０１１２】
磁性粉がコバルトフェライト粒子粉を含む場合、磁性粉の平均粒子サイズは、好ましくは２５ｎｍ以下、より好ましくは８ｎｍ以上２３ｎｍ以下、さらにより好ましくは８ｎｍ以上１２ｎｍ以下、特に好ましくは８ｎｍ以上１１ｎｍ以下である。磁性粉の平均粒子サイズが２５ｎｍ以下であると、高記録密度の磁気テープＭＴにおいて、さらに優れた電磁変換特性（例えばＳＮＲ）を得ることができる。一方、磁性粉の平均粒子サイズが８ｎｍ以上であると、磁性粉の分散性がより向上し、さらに優れた電磁変換特性（例えばＳＮＲ）を得ることができる。磁性粉の平均粒子サイズの算出方法は、磁性粉がε酸化鉄粒子粉を含む場合における磁性粉の平均粒子サイズの算出方法と同様である。
【０１１３】
磁性粉の平均アスペクト比が、好ましくは１．０以上３．０以下、より好ましくは１．０以上２．５以下、さらにより好ましくは１．０以上２．１以下、特に好ましくは１．０以上１．８以下である。磁性粉の平均アスペクト比が１．０以上３．０以下の範囲内であると、磁性粉の凝集を抑制することができる。また、磁性層４３の形成工程において磁性粉を垂直配向させる際に、磁性粉に加わる抵抗を抑制することができる。したがって、磁性粉の垂直配向性を向上することができる。磁性粉の平均アスペクト比の算出方法は、磁性粉がε酸化鉄粒子粉を含む場合における磁性粉の平均アスペクト比の算出方法と同様である。
【０１１４】
磁性粉の平均粒子体積は、好ましくは１５０００ｎｍ3以下、より好ましくは５００ｎｍ3以上１２０００ｎｍ3以下、特に好ましくは５００ｎｍ3以上１８００ｎｍ3以下、最も好ましくは５００ｎｍ3以上１５００ｎｍ3以下である。磁性粉の平均粒子体積が１５０００ｎｍ3以下であると、磁性粉の平均粒子サイズを２５ｎｍ以下とする場合と同様の効果が得られる。一方、磁性粉の平均粒子体積が５００ｎｍ3以上であると、磁性粉の平均粒子サイズを８ｎｍ以上とする場合と同様の効果が得られる。磁性分の平均粒子体積の算出方法は、ε酸化鉄粒子が立方体状を有している場合の平均粒子体積の算出方法と同様である。
【０１１５】
（結着剤）
結着剤としては、例えば、熱可塑性樹脂、熱硬化性樹脂、反応型樹脂等が挙げられる。熱可塑性樹脂としては、例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、アクリル酸エステル−アクリロニトリル共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリフッ化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリウレタン樹脂、ポリエステル樹脂、アミノ樹脂、合成ゴム等が挙げられる。
【０１１６】
熱硬化性樹脂としては、例えば、フェノール樹脂、エポキシ樹脂、ポリウレタン硬化型樹脂、尿素樹脂、メラミン樹脂、アルキッド樹脂、シリコーン樹脂、ポリアミン樹脂、尿素ホルムアルデヒド樹脂等が挙げられる。
【０１１７】
上記の全ての結着剤には、磁性粉の分散性を向上させる目的で、−ＳＯ3Ｍ、−ＯＳＯ3Ｍ、−ＣＯＯＭ、Ｐ＝Ｏ（ＯＭ）2（但し、式中Ｍは水素原子またはリチウム、カリウム、ナトリウム等のアルカリ金属を表す）や、−ＮＲ１Ｒ２、−ＮＲ１Ｒ２Ｒ３+Ｘ-で表される末端基を有する側鎖型アミン、＞ＮＲ１Ｒ２+Ｘ-で表される主鎖型アミン（但し、式中Ｒ１、Ｒ２、Ｒ３は水素原子または炭化水素基を表し、Ｘ-はフッ素、塩素、臭素、ヨウ素等のハロゲン元素イオン、無機イオンまたは有機イオンを表す。）、さらに−ＯＨ、−ＳＨ、−ＣＮ、エポキシ基等の極性官能基が導入されていてもよい。これら極性官能基の結着剤への導入量は、１０-1〜１０-8モル／ｇであるのが好ましく、１０-2〜１０-6モル／ｇであるのがより好ましい。
【０１１８】
（潤滑剤）
潤滑剤は、例えば脂肪酸および脂肪酸エステルから選ばれる少なくとも１種、好ましくは脂肪酸および脂肪酸エステルの両方を含む。磁性層４３が潤滑剤を含むことが、特には磁性層４３が脂肪酸および脂肪酸エステルの両方を含むことが、磁気テープＭＴの走行安定性の向上に貢献する。より特には、磁性層４３が潤滑剤を含み且つ細孔を有することによって、良好な走行安定性が達成される。当該走行安定性の向上は、磁気テープＭＴの磁性層４３側表面の動摩擦係数が上記潤滑剤により、磁気テープＭＴの走行に適した値へ調整されるためと考えられる。
【０１１９】
脂肪酸は、好ましくは下記の一般式（１）または（２）により示される化合物であってよい。例えば、脂肪酸として下記の一般式（１）により示される化合物および一般式（２）により示される化合物の一方が含まれていてよく、または両方が含まれていてもよい。
【０１２０】
また、脂肪酸エステルは、好ましくは下記一般式（３）または（４）により示される化合物であってよい。例えば、脂肪酸エステルとして下記の一般式（３）により示される化合物および一般式（４）により示される化合物の一方が含まれていてよく、または両方が含まれていてもよい。
【０１２１】
潤滑剤が、一般式（１）に示される化合物および一般式（２）に示される化合物のいずれか一方若しくは両方と、一般式（３）に示される化合物および一般式（４）に示される化合物のいずれか一方若しくは両方と、を含むことによって、磁気テープＭＴを繰り返しの記録または再生による動摩擦係数の増加を抑制することができる。
【０１２２】
ＣＨ3（ＣＨ2）kＣＯＯＨ  ・・・（１）
（但し、一般式（１）において、ｋは１４以上２２以下の範囲、より好ましくは１４以上１８以下の範囲から選ばれる整数である。）
【０１２３】
ＣＨ3（ＣＨ2）nＣＨ＝ＣＨ（ＣＨ2）mＣＯＯＨ  ・・・（２）
（但し、一般式（２）において、ｎとｍとの和は１２以上２０以下の範囲、より好ましくは１４以上１８以下の範囲から選ばれる整数である。）
【０１２４】
ＣＨ3（ＣＨ2）pＣＯＯ（ＣＨ2）qＣＨ3  ・・・（３）
（但し、一般式（３）において、ｐは１４以上２２以下、より好ましくは１４以上１８以下の範囲から選ばれる整数であり、且つ、ｑは２以上５以下の範囲、より好ましくは２以上４以下の範囲から選ばれる整数である。）
【０１２５】
ＣＨ3（ＣＨ2）rＣＯＯ−（ＣＨ2）sＣＨ（ＣＨ3）2  ・・・（４）
（但し、一般式（４）において、ｒは１４以上２２以下の範囲から選ばれる整数であり、ｓは１以上３以下の範囲から選ばれる整数である。）
【０１２６】
（帯電防止剤）
帯電防止剤としては、例えば、カーボンブラック、天然界面活性剤、ノニオン性界面活性剤、カチオン性界面活性剤等が挙げられる。
【０１２７】
（研磨剤）
研磨剤としては、例えば、α化率９０％以上のα−アルミナ、β−アルミナ、γ−アルミナ、炭化ケイ素、酸化クロム、酸化セリウム、α−酸化鉄、コランダム、窒化珪素、チタンカ−バイト、酸化チタン、二酸化珪素、酸化スズ、酸化マグネシウム、酸化タングステン、酸化ジルコニウム、窒化ホウ素、酸化亜鉛、炭酸カルシウム、硫酸カルシウム、硫酸バリウム、２硫化モリブデン、磁性酸化鉄の原料を脱水、アニール処理した針状α酸化鉄、必要によりそれらをアルミおよび／またはシリカで表面処理したもの等が挙げられる。
【０１２８】
（硬化剤）
硬化剤としては、例えば、ポリイソシアネート等が挙げられる。ポリイソシアネートとしては、例えば、トリレンジイソシアネート（ＴＤＩ）と活性水素化合物との付加体等の芳香族ポリイソシアネート、ヘキサメチレンジイソシアネート（ＨＭＤＩ）と活性水素化合物との付加体等の脂肪族ポリイソシアネート等が挙げられる。これらポリイソシアネートの重量平均分子量は、１００〜３０００の範囲であることが望ましい。
【０１２９】
（防錆剤）
防錆剤としては、例えばフェノール類、ナフトール類、キノン類、窒素原子を含む複素環化合物、酸素原子を含む複素環化合物、硫黄原子を含む複素環化合物等が挙げられる。
【０１３０】
（非磁性補強粒子）
非磁性補強粒子として、例えば、酸化アルミニウム（α、βまたはγアルミナ）、酸化クロム、酸化珪素、ダイヤモンド、ガーネット、エメリー、窒化ホウ素、チタンカーバイト、炭化珪素、炭化チタン、酸化チタン（ルチル型またはアナターゼ型の酸化チタン）等が挙げられる。
【０１３１】
（下地層）
下地層４２は、基体４１の表面の凹凸を緩和し、磁性層４３の表面の凹凸を調整するためのものである。下地層４２は、非磁性粉、結着剤および潤滑剤を含む非磁性層である。下地層４２は、磁性層４３の表面に潤滑剤を供給する。下地層４２が、必要に応じて、帯電防止剤、硬化剤および防錆剤等のうちの少なくとも１種の添加剤をさらに含んでいてもよい。
【０１３２】
下地層４２の平均厚みは、好ましくは０．３μｍ以上２．０μｍ以下、より好ましくは０．５μｍ以上１．４μｍ以下である。なお、下地層４２の平均厚みは、磁性層４３の平均厚みと同様にして求められる。但し、ＴＥＭ像の倍率は、下地層４２の厚みに応じて適宜調整される。下地層４２の平均厚みが２．０μｍ以下であると、外力による磁気テープＭＴの伸縮性がさらに高くなるため、テンション調整による磁気テープＭＴの幅の調整がさらに容易となる。
【０１３３】
下地層４２は、多数の孔部を有していることが好ましい。これらの多数の孔部に潤滑剤が蓄えられることで、繰り返し記録または再生を行った後にも（すなわち磁気ヘッド５６を磁気テープＭＴの表面に接触させて繰り返し走行を行った後にも）、磁性層４３の表面と磁気ヘッドの間に対する潤滑剤の供給量の低下をさらに抑制することができる。したがって、動摩擦係数の増加をさらに抑制することができる。すなわち、さらに優れた走行安定性を得ることができる。
【０１３４】
繰り返し記録または再生後における動摩擦係数の低下を抑制する観点からすると、下地層４２の孔部と磁性層４３の孔部４３Ａとがつながっていることが好ましい。ここで、下地層４２の孔部と磁性層４３の孔部４３Ａとがつながっているとは、下地層４２の多数の孔部のうちの一部のものと、磁性層４３の多数の孔部４３Ａのうちの一部のものとがつながっている状態を含むものとする。
【０１３５】
磁性層４３の表面に対する潤滑剤の供給性を向上する観点からすると、多数の孔部は、磁性層４３の表面に対して垂直方向に延設されているものを含んでいることが好ましい。また、磁性層４３の表面に対する潤滑剤の供給性を向上する観点からすると、磁性層４３の表面に対して垂直方向に延設された下地層４２の孔部と、磁性層４３の表面に対して垂直方向に延設された磁性層４３の孔部４３Ａとがつながっていることが好ましい。
【０１３６】
（非磁性粉）
非磁性粉は、例えば無機粒子粉または有機粒子粉の少なくとも１種を含む。また、非磁性粉は、カーボンブラック等の炭素粉を含んでいてもよい。なお、１種の非磁性粉を単独で用いてもよいし、２種以上の非磁性粉を組み合わせて用いてもよい。無機粒子は、例えば、金属、金属酸化物、金属炭酸塩、金属硫酸塩、金属窒化物、金属炭化物または金属硫化物等を含む。非磁性粉の形状としては、例えば、針状、球状、立方体状、板状等の各種形状が挙げられるが、これらの形状に限定されるものではない。
【０１３７】
（結着剤、潤滑剤）
結着剤および潤滑剤は、上述の磁性層４３と同様である。
【０１３８】
（添加剤）
帯電防止剤、硬化剤および防錆剤はそれぞれ、上述の磁性層４３と同様である。
【０１３９】
（バック層）
バック層４４は、結着剤および非磁性粉を含む。バック層４４が、必要に応じて潤滑剤、硬化剤および帯電防止剤等のうちの少なくとも１種の添加剤をさらに含んでいてもよい。結着剤および非磁性粉は、上述の下地層４２と同様である。
【０１４０】
非磁性粉の平均粒子サイズは、好ましくは１０ｎｍ以上１５０ｎｍ以下、より好ましくは１５ｎｍ以上１１０ｎｍ以下である。非磁性粉の平均粒子サイズは、上記の磁性粉の平均粒子サイズと同様にして求められる。非磁性粉が、２以上の粒度分布を有する非磁性粉を含んでいてもよい。
【０１４１】
バック層４４の平均厚みの上限値は、好ましくは０．６μｍ以下である。バック層４４の平均厚みの上限値が０．６μｍ以下であると、磁気テープＭＴの平均厚みが５．６μｍ以下である場合でも、下地層４２や基体４１の厚みを厚く保つことができるので、磁気テープＭＴの記録再生装置５０内での走行安定性を保つことができる。バック層４４の平均厚みの下限値は特に限定されるものではないが、例えば０．２μｍ以上である。
【０１４２】
バック層４４の平均厚みｔbは以下のようにして求められる。まず、磁気テープＭＴの平均厚みｔTを測定する。平均厚みｔTの測定方法は、以下の「磁気テープの平均厚み」に記載されている通りである。続いて、サンプルのバック層４４をＭＥＫ（メチルエチルケトン）または希塩酸等の溶剤で除去する。次に、Mitutoyo社製レーザーホロゲージ（LGH-110C）を用いて、サンプルの厚みを５点以上の位置で測定し、それらの測定値を単純に平均（算術平均）して、平均値ｔB［μｍ］を算出する。その後、以下の式よりバック層４４の平均厚みｔb［μｍ］を求める。なお、測定位置は、サンプルから無作為に選ばれるものとする。
ｔb［μｍ］＝ｔT［μｍ］−ｔB［μｍ］
【０１４３】
バック層４４は、多数の突部４４Ａが設けられた表面を有している。多数の突部４４Ａは、磁気テープＭＴをロール状に巻き取った状態において、磁性層４３の表面に多数の孔部４３Ａを形成するためのものである。多数の孔部４３Ａは、例えば、バック層４４の表面から突出された多数の非磁性粒子により構成されている。
【０１４４】
（磁気テープの平均厚み）
磁気テープＭＴの平均厚み（平均全厚）ｔTの上限値が、５．６μｍ以下、好ましくは５．０μｍ以下、より好ましくは４．６μｍ以下、さらにより好ましくは４．４μｍ以下である。磁気テープＭＴの平均厚みｔTが５．６μｍ以下であると、１データカートリッジ内に記録できる記録容量を一般的な磁気テープよりも高めることができる。磁気テープＭＴの平均厚みｔTの下限値は特に限定されるものではないが、例えば３．５μｍ以上である。
【０１４５】
磁気テープＭＴの平均厚みｔTは以下のようにして求められる。まず、１／２インチ幅の磁気テープＭＴを準備し、それを２５０ｍｍの長さに切り出し、サンプルを作製する。次に、測定装置としてMitutoyo社製レーザーホロゲージ（LGH-110C）を用いて、サンプルの厚みを５点以上の位置で測定し、それらの測定値を単純に平均（算術平均）して、平均値ｔT［μｍ］を算出する。なお、測定位置は、サンプルから無作為に選ばれるものとする。
【０１４６】
（保磁力Ｈｃ）
磁気テープＭＴの長手方向における磁性層４３の保磁力Ｈｃ２の上限値が、好ましくは２０００Ｏｅ以下、より好ましくは１９００Ｏｅ以下、さらにより好ましくは１８００Ｏｅ以下である。長手方向における磁性層４３の保磁力Ｈｃ２が２０００Ｏｅ以下であると、高記録密度であっても十分な電磁変換特性を有することができる。
【０１４７】
磁気テープＭＴの長手方向に測定した磁性層４３の保磁力Ｈｃ２の下限値が、好ましくは１０００Ｏｅ以上である。長手方向に測定した磁性層４３の保磁力Ｈｃ２が１０００Ｏｅ以上であると、記録ヘッドからの漏れ磁束による減磁を抑制することができる。
【０１４８】
上記の保磁力Ｈｃ２は以下のようにして求められる。まず、磁気テープＭＴが両面テープで３枚重ね合わされた後、φ６．３９ｍｍのパンチで打ち抜かれて、測定サンプルが作製される。この際に、磁気テープＭＴの長手方向（走行方向）が認識できるように、磁性を持たない任意のインクでマーキングを行う。そして、振動試料型磁力計（Vibrating Sample Magnetometer：ＶＳＭ）を用いて磁気テープＭＴの長手方向（走行方向）に対応する測定サンプル（磁気テープＭＴ全体）のＭ−Ｈループが測定される。次に、アセトンまたはエタノール等が用いられて塗膜（下地層４２、磁性層４３およびバック層４４等）が払拭され、基体４１のみが残される。そして、得られた基体４１が両面テープで３枚重ね合わされた後、φ６．３９ｍｍのパンチで打ち抜かれて、バックグラウンド補正用のサンプル（以下、単に「補正用サンプル」）が作製される。その後、ＶＳＭを用いて基体４１の垂直方向（磁気テープＭＴの垂直方向）に対応する補正用サンプル（基体４１）のＭ−Ｈループが測定される。
【０１４９】
測定サンプル（磁気テープＭＴの全体）のＭ−Ｈループ、補正用サンプル（基体４１）のＭ−Ｈループの測定においては、東英工業社製の高感度振動試料型磁力計「ＶＳＭ−Ｐ７−１５型」が用いられる。測定条件は、測定モード：フルループ、最大磁界：１５ｋＯｅ、磁界ステップ：４０ｂｉｔ、Time constant of Locking amp：０．３ｓｅｃ、Waiting time：１ｓｅｃ、ＭＨ平均数：２０とされる。
【０１５０】
測定サンプル（磁気テープＭＴの全体）のＭ−Ｈループおよび補正用サンプル（基体４１）のＭ−Ｈループが得られた後、測定サンプル（磁気テープＭＴの全体）のＭ−Ｈループから補正用サンプル（基体４１）のＭ−Ｈループが差し引かれることで、バックグラウンド補正が行われ、バックグラウンド補正後のＭ−Ｈループが得られる。このバックグラウンド補正の計算には、「ＶＳＭ−Ｐ７−１５型」に付属されている測定・解析プログラムが用いられる。得られたバックグラウンド補正後のＭ−Ｈループから保磁力Ｈｃ２が求められる。なお、この計算には、「ＶＳＭ−Ｐ７−１５型」に付属されている測定・解析プログラムが用いられる。なお、上記のＭ−Ｈループの測定はいずれも、２５℃にて行われるものとする。また、Ｍ−Ｈループを磁気テープＭＴの長手方向に測定する際の“反磁界補正”は行わないものとする。
【０１５１】
（角形比）
磁気テープＭＴの垂直方向（厚み方向）における磁性層４３の角形比Ｓ１が、好ましくは６５％以上、より好ましくは７０％以上、さらにより好ましくは７５％以上、特に好ましくは８０％以上、最も好ましくは８５％以上である。角形比Ｓ１が６５％以上であると、磁性粉の垂直配向性が十分に高くなるため、さらに優れた電磁変換特性（例えばＳＮＲ）を得ることができる。
【０１５２】
垂直方向における角形比Ｓ１は以下のようにして求められる。まず、磁気テープＭＴが両面テープで３枚重ね合わされた後、φ６．３９ｍｍのパンチで打ち抜かれて、測定サンプルが作製される。この際に、磁気テープＭＴの長手方向（走行方向）が認識できるように、磁性を持たない任意のインクでマーキングを行う。そして、ＶＳＭを用いて磁気テープＭＴの垂直方向（厚み方向）に対応する測定サンプル（磁気テープＭＴの全体）のＭ−Ｈループが測定される。次に、アセトンまたはエタノール等が用いられて塗膜（下地層１２、磁性層４３およびバック層４４等）が払拭され、基体４１のみが残される。そして、得られた基体４１が両面テープで３枚重ね合わされた後、φ６．３９ｍｍのパンチで打ち抜かれて、バックグラウンド補正用のサンプル（以下、単に「補正用サンプル」）とされる。その後、ＶＳＭを用いて基体４１の垂直方向（磁気テープＭＴの垂直方向）に対応する補正用サンプル（基体４１）のＭ−Ｈループが測定される。
【０１５３】
測定サンプル（磁気テープＭＴの全体）のＭ−Ｈループ、補正用サンプル（基体４１）のＭ−Ｈループの測定においては、東英工業社製の高感度振動試料型磁力計「ＶＳＭ−Ｐ７−１５型」が用いられる。測定条件は、測定モード：フルループ、最大磁界：１５ｋＯｅ、磁界ステップ：４０ｂｉｔ、Time constant of Locking amp：０．３ｓｅｃ、Waiting time：１ｓｅｃ、ＭＨ平均数：２０とされる。
【０１５４】
測定サンプル（磁気テープＭＴの全体）のＭ−Ｈループおよび補正用サンプル（基体４１）のＭ−Ｈループが得られた後、測定サンプル（磁気テープＭＴの全体）のＭ−Ｈループから補正用サンプル（基体４１）のＭ−Ｈループが差し引かれることで、バックグラウンド補正が行われ、バックグラウンド補正後のＭ−Ｈループが得られる。このバックグラウンド補正の計算には、「ＶＳＭ−Ｐ７−１５型」に付属されている測定・解析プログラムが用いられる。
【０１５５】
得られたバックグラウンド補正後のＭ−Ｈループの飽和磁化Ｍｓ（ｅｍｕ）および残留磁化Ｍｒ（ｅｍｕ）が以下の式に代入されて、角形比Ｓ１（％）が計算される。なお、上記のＭ−Ｈループの測定はいずれも、２５℃にて行われるものとする。また、Ｍ−Ｈループを磁気テープＭＴの垂直方向に測定する際の“反磁界補正”は行わないものとする。なお、この計算には、「ＶＳＭ−Ｐ７−１５型」に付属されている測定・解析プログラムが用いられる。
角形比Ｓ１（％）＝（Ｍｒ／Ｍｓ）×１００
【０１５６】
磁気テープＭＴの長手方向（走行方向）における磁性層４３の角形比Ｓ２が、好ましくは３５％以下、より好ましくは３０％以下、さらにより好ましくは２５％以下、特に好ましくは２０％以下、最も好ましくは１５％以下である。角形比Ｓ２が３５％以下であると、磁性粉の垂直配向性が十分に高くなるため、さらに優れた電磁変換特性（例えばＳＮＲ）を得ることができる。
【０１５７】
長手方向における角形比Ｓ２は、Ｍ−Ｈループを磁気テープＭＴおよび基体４１の長手方向（走行方向）に測定すること以外は角形比Ｓ１と同様にして求められる。
【０１５８】
（Ｈｃ２／Ｈｃ１）
垂直方向における磁性層４３の保磁力Ｈｃ１と、長手方向における磁性層４３の保磁力Ｈｃ２の比Ｈｃ２／Ｈｃ１が、Ｈｃ２／Ｈｃ１≦０．８、好ましくはＨｃ２／Ｈｃ１≦０．７５、より好ましくはＨｃ２／Ｈｃ１≦０．７、さらにより好ましくはＨｃ２／Ｈｃ１≦０．６５、特に好ましくはＨｃ２／Ｈｃ１≦０．６の関係を満たす。保磁力Ｈｃ１、Ｈｃ２がＨｃ２／Ｈｃ１≦０．８の関係を満たすことで、磁性粉の垂直配向度を高めることができる。したがって、磁化遷移幅を低減し、かつ信号再生時に高出力の信号を得ることができるので、さらに優れた電磁変換特性（例えばＳＮＲ）を得ることができる。なお、上述したように、Ｈｃ２が小さいと、記録ヘッドからの垂直方向の磁界により感度良く磁化が反応するため、良好な記録パターンを形成することができる。
【０１５９】
比Ｈｃ２／Ｈｃ１がＨｃ２／Ｈｃ１≦０．８である場合、磁性層４３の平均厚みが９０ｎｍ以下であることが特に有効である。磁性層４３の平均厚みが９０ｎｍを超えると、記録ヘッドとしてリング型ヘッドを用いた場合に、磁性層４３の下部領域（下地層４２側の領域）が長手方向に磁化されてしまい、磁性層４３を厚み方向に均一に磁化することができなくなる虞がある。したがって、比Ｈｃ２／Ｈｃ１をＨｃ２／Ｈｃ１≦０．８としても（すなわち、磁性粉の垂直配向度を高めても）、さらに優れた電磁変換特性（例えばＳＮＲ）を得られなくなる虞がある。
【０１６０】
Ｈｃ２／Ｈｃ１の下限値は特に限定されるものではないが、例えば０．５≦Ｈｃ２／Ｈｃ１である。なお、Ｈｃ２／Ｈｃ１は磁性粉の垂直配向度を表しており、Ｈｃ２／Ｈｃ１が小さいほど磁性粉の垂直配向度が高くなる。
【０１６１】
長手方向における磁性層４３の保磁力Ｈｃ２の算出方法は、上述した通りである。垂直方向における磁性層４３の保磁力Ｈｃ１は、Ｍ−Ｈループを磁気テープＭＴおよび基体４１の垂直方向（厚み方向）に測定すること以外は長手方向における磁性層４３の保磁力Ｈｃ２と同様にして求められる。
【０１６２】
（活性化体積Ｖact）
活性化体積Ｖactが、好ましくは８０００ｎｍ3以下、より好ましくは６０００ｎｍ3以下、さらにより好ましくは５０００ｎｍ3以下、特に好ましくは４０００ｎｍ3以下、最も好ましくは３０００ｎｍ3以下である。活性化体積Ｖactが８０００ｎｍ3以下であると、磁性粉の分散状態が良好になるため、ビット反転領域を急峻にすることができ、記録ヘッドからの漏れ磁界により、隣接するトラックに記録された磁化信号が劣化することを抑制できる。したがって、さらに優れた電磁変換特性（例えばＳＮＲ）が得られなくなる虞がある。
【０１６３】
上記の活性化体積Ｖactは、Ｓｔｒｅｅｔ＆Ｗｏｏｌｌｅｙにより導出された下記の式により求められる。
Ｖact（ｎｍ3）＝ｋB×Ｔ×Χirr／（μ0×Ｍｓ×Ｓ）
（但し、ｋB：ボルツマン定数（１．３８×１０-23Ｊ／Ｋ）、Ｔ：温度（Ｋ）、Χirr：非可逆磁化率、μ0：真空の透磁率、Ｓ：磁気粘性係数、Ｍｓ：飽和磁化（ｅｍｕ／ｃｍ3））
【０１６４】
上記式に代入される非可逆磁化率Χirr、飽和磁化Ｍｓおよび磁気粘性係数Ｓは、ＶＳＭを用いて以下のようにして求められる。なお、ＶＳＭによる測定方向は、磁気テープＭＴの厚み方向（垂直方向）とする。また、ＶＳＭによる測定は、長尺状の磁気テープＭＴから切り出された測定サンプルに対して２５℃にて行われるものとする。また、Ｍ−Ｈループを磁気テープＭＴの厚み方向（垂直方向）に測定する際の“反磁界補正”は行わないものとする。
【０１６５】
（非可逆磁化率Χirr）
非可逆磁化率Χirrは、残留磁化曲線（ＤＣＤ曲線）の傾きにおいて、残留保磁力Ｈｒ付近における傾きと定義される。まず、磁気テープＭＴ全体に−１１９３ｋＡ／ｍ（１５ｋＯｅ）の磁界を印加し、磁界をゼロに戻し残留磁化状態とする。その後、反対方向に約１５．９ｋＡ／ｍ（２００Ｏｅ）の磁界を印加し再びゼロに戻し残留磁化量を測定する。その後も同様に、先ほどの印加磁界よりもさらに１５．９ｋＡ／ｍ大きい磁界を印加しゼロに戻す測定を繰り返し行い、印加磁界に対して残留磁化量をプロットしＤＣＤ曲線を測定する。得られたＤＣＤ曲線から、磁化量ゼロとなる点を残留保磁力Ｈｒとし、さらにＤＣＤ曲線を微分し、各磁界におけるＤＣＤ曲線の傾きを求める。このＤＣＤ曲線の傾きにおいて、残留保磁力Ｈｒ付近の傾きがΧirrとなる。
【０１６６】
（飽和磁化Ｍｓ）
まず、上記の角形比Ｓ１の測定方法と同様にして、バックグラウンド補正後のＭ−Ｈループを得る。次に、得られたＭ−Ｈループの飽和磁化Ｍｓ（ｅｍｕ）の値と、測定サンプル中の磁性層４３の体積（ｃｍ3）から、Ｍｓ（ｅｍｕ／ｃｍ3）を算出する。なお、磁性層４３の体積は測定サンプルの面積に磁性層４３の平均厚みを乗ずることにより求められる。磁性層４３の体積の算出に必要な磁性層４３の平均厚みの算出方法は、上述した通りである。
【０１６７】
（磁気粘性係数Ｓ）
まず、磁気テープＭＴ（測定サンプル）全体に−１１９３ｋＡ／ｍ（１５ｋＯｅ）の磁界を印加し、磁界をゼロに戻し残留磁化状態とする。その後、反対方向に、ＤＣＤ曲線より得られた残留保磁力Ｈｒの値と同等の磁界を印加する。磁界を印加した状態で１０００秒間、磁化量を一定の時間間隔で継続的に測定する。このようにして得られた、時間ｔと磁化量Ｍ（ｔ）の関係を以下の式に照らし合わせて、磁気粘性係数Ｓを算出する。
Ｍ（ｔ）＝Ｍ０＋Ｓ×ｌｎ（ｔ）
（但し、Ｍ（ｔ）：時間ｔの磁化量、Ｍ０：初期の磁化量、Ｓ：磁気粘性係数、ｌｎ（ｔ）：時間の自然対数）
【０１６８】
（バック面の表面粗度Ｒb）
バック面の表面粗度（バック層４４の表面粗度）Ｒbが、Ｒb≦６．０［ｎｍ］であることが好ましい。バック面の表面粗度Ｒbが上記範囲であると、さらに優れた電磁変換特性を得ることができる。
【０１６９】
バック面の表面粗度Ｒbは以下のようにして求められる。まず、１２．６５ｍｍ幅の磁気テープＭＴを準備し、それを１００ｍｍの長さに切り出し、サンプルを作製する。次に、サンプルの被測定面（磁性層側の表面）が上になるようにスライドグラスに乗せ、サンプルの端部をメンディングテープで固定する。測定装置としてVertScan（対物レンズ５０倍）を用いて表面形状を測定し、ＩＳＯ  ２５１７８の規格に基づいて以下の式からバック面の表面粗度Ｒbを求める。
装置：光干渉を用いた非接触粗度計
（株式会社菱化システム製 非接触表面・層断面形状計測システム VertScan R5500GL-M100-AC）
対物レンズ：２０倍
測定領域：６４０×４８０ピクセル（視野：約２３７μｍ×１７８μｍ視野）
測定モード：ｐｈａｓｅ
波長フィルター：５２０ｎｍ
ＣＣＤ：１／３レンズ
ノイズ除去フィルター：スムージング３×３
面補正：２次多項式近似面にて補正
測定ソフトウエア：VS-Measure  Version5.5.2
解析ソフトウエア：VS-viewer  Version5.5.5
【数８】
0006624332.tif 000010
上述のようにして、長手方向で少なくとも５点以上の位置にて面粗度を測定したのち、
各位置で得られた表面プロファイルから自動計算されたそれぞれの算術平均粗さＳa（ｎｍ）の平均値をバック面の表面粗度Ｒb（ｎｍ）とする。
【０１７０】
（磁気テープの長手方向のヤング率）
磁気テープＭＴの長手方向のヤング率は、好ましくは８．０ＧＰａ以下、より好ましくは７．９ＧＰａ以下、さらにより好ましくは７．５ＧＰａ以下、特に好ましくは７．１ＧＰａ以下である。磁気テープＭＴの長手方向のヤング率が８．０ＧＰａ以下であると、外力による磁気テープＭＴの伸縮性がさらに高くなるため、テンション調整による磁気テープＭＴの幅の調整がさらに容易となる。したがって、オフトラックをさらに適切に抑制することができ、磁気テープＭＴに記録されたデータをさらに正確に再生することが可能となる。
【０１７１】
磁気テープＭＴの長手方向のヤング率は、外力による磁気テープＭＴの長手方向における伸縮のし難さを示す値であり、この値が大きいほど外力により磁気テープＭＴは長手方向に伸縮し難く、この値が小さいほど外力により磁気テープＭＴは長手方向に伸縮しやすい。
【０１７２】
なお、磁気テープＭＴの長手方向のヤング率は、磁気テープＭＴの長手方向に関する値であるが、磁気テープＭＴの幅方向の伸縮のし難さとも相関がある。つまり、この値が大きいほど磁気テープＭＴは外力により幅方向に伸縮し難く、この値が小さいほど磁気テープＭＴは外力により幅方向に伸縮しやすい。したがって、テンション調整の観点から、磁気テープＭＴの長手方向のヤング率は、小さい方が有利である。
【０１７３】
ヤング率の測定には引っ張り試験機（島津製作所製、AG-100D）を用いる。テープ長手方向のヤング率を測定したい場合は、テープを１８０ｍｍの長さにカットして測定サンプルを準備する。上記引っ張り試験機にテープの幅（１／２インチ）を固定できる冶具を取り付け、テープ幅の上下を固定する。距離（チャック間のテープの長さ）は１００ｍｍにする。テープサンプルをチャック後、サンプルを引っ張る方向に応力を徐々にかけていく。引っ張り速度は０．１ｍｍ／ｍｉｎとする。この時の応力の変化と伸び量から、以下の式を用いてヤング率を計算する。
Ｅ（Ｎ／ｍ2）＝（（ΔＮ／Ｓ）／（Δｘ／Ｌ））×１０6
ΔＮ：応力の変化（Ｎ）
Ｓ：試験片の断面積（ｍｍ2）
Δｘ：伸び量（ｍｍ）
Ｌ：つかみ治具間距離（ｍｍ）
応力の範囲としては０．５Ｎから１．０Ｎとし、この時の応力変化（ΔＮ）と伸び量（Δｘ）を計算に使用する。
【０１７４】
（基体の長手方向のヤング率）
基体４１の長手方向のヤング率は、好ましくは７．５ＧＰａ以下、より好ましくは７．４ＧＰａ以下、さらにより好ましくは７．０ＧＰａ以下、特に好ましくは６．６ＧＰａ以下である。基体４１の長手方向のヤング率が７．５ＧＰａ以下であると、外力による磁気テープＭＴの伸縮性がさらに高くなるため、テンション調整による磁気テープＭＴの幅の調整がさらに容易となる。したがって、オフトラックをさらに適切に抑制することができ、磁気テープＭＴに記録されたデータをさらに正確に再生することが可能となる。
【０１７５】
上記の基体４１の長手方向のヤング率は、次のようにして求められる。まず、磁気テープＭＴから下地層４２、磁性層４３およびバック層４４を除去し、基体４１を得る。この基体４１を用いて、上記の磁気テープＭＴの長手方向のヤング率と同様の手順で基体４１の長手方向のヤング率を求める。
【０１７６】
基体４１の厚さは、磁気テープＭＴの全体の厚さの半分以上を占めている。したがって、基体４１の長手方向のヤング率は、外力による磁気テープＭＴの伸縮し難さと相関があり、この値が大きいほど磁気テープＭＴは外力により幅方向に伸縮し難く、この値が小さいほど磁気テープＭＴは外力により幅方向に伸縮しやすい。
【０１７７】
なお、基体４１の長手方向のヤング率は、磁気テープＭＴの長手方向に関する値であるが、磁気テープＭＴの幅方向の伸縮のし難さとも相関がある。つまり、この値が大きいほど磁気テープＭＴは外力により幅方向に伸縮し難く、この値が小さいほど磁気テープＭＴは外力により幅方向に伸縮しやすい。したがって、テンション調整の観点から、基体４１の長手方向のヤング率は、小さい方が有利である。
【０１７８】
（動摩擦係数）
磁気テープＭＴに加わる張力が１．２Ｎであるときの磁性層４３の表面と磁気ヘッド５６の間の動摩擦係数μAと、磁気テープＭＴに加わる張力が０．４Ｎであるときの磁性層４３の表面と磁気ヘッド５６の間の動摩擦係数μBとの摩擦係数比（μB／μA）が、好ましくは１．０以上２．０以下、より好ましくは１．０以上１．５以下である。摩擦係数比（μB／μA）が１．０以上で２．０以下であると、走行時の張力変動による動摩擦係数の変化を小さくできるため、磁気テープＭＴの走行時に磁気テープＭＴのテンション調整を行った場合にも、優れた走行安定性を得ることができる。
【０１７９】
摩擦係数比（μB／μA）を算出するための動摩擦係数μAおよび動摩擦係数μBは以下の通りにして求められる。先ず、図１０Ａに示すように、１／２インチ幅の磁気テープＭＴを、互いに離間して平行に配置された１インチ径の円柱状の２本のガイドロール７３Ａおよび７３Ｂに磁性面が接触するように載せる。２本のガイドロール７３Ａおよび７３Ｂは、硬い板状部材７６に固定されており、これにより互いの位置関係が固定されている。
【０１８０】
次いで、ＬＴＯ５ドライブに搭載されているヘッドブロック（記録再生用）７４に対し、磁気テープＭＴを、磁性面が接触するように且つ抱き角θ1（°）＝５．６°となるように接触させる。ヘッドブロック７４は、ガイドロール７３Ａおよび７３Ｂの略中心に配置される。ヘッドブロック７４は、抱き角θ1を変更することができるように、板状部材７６に移動可能に取り付けられているが、抱き角θ1（°）が５．６°となったらその位置が板状部材７６に対して固定され、これにより、ガイドロール７３Ａおよび７３Ｂとヘッドブロック７４との位置関係も固定される。
【０１８１】
磁気テープＭＴの一端を、ジグ７２を介して可動式ストレインゲージ７１と繋ぐ。磁気テープＭＴは、図１０Ｂに示されるとおりにジグ７２に固定される。磁気テープＭＴの他端に錘７５を繋ぐ。錘７５によって、０．４Ｎのテンション（Ｔ0［Ｎ］）が磁気テープＭＴの長手方向に付与される。可動式ストレインゲージ７１は、台７７上に固定されている。台７７と板状部材７６の位置関係も固定されており、これにより、ガイドロール７３Ａおよび７３Ｂ、ヘッドブロック７４、および可動式ストレインゲージ７１の位置関係が固定されている。
【０１８２】
可動式ストレインゲージ７１によって、磁気テープＭＴが１０ｍｍ／ｓにて可動式ストレインゲージ７１へ向かうように、磁気テープＭＴをヘッドブロック７４上を６０ｍｍ摺動させる。当該摺動時の可動式ストレインゲージ７１の出力値（電圧）を、事前に取得されている出力値と荷重との直線関係（後述する）に基づき、Ｔ［Ｎ］に変換する。上記６０ｍｍの摺動の摺動開始から摺動停止までの間に、１３回Ｔ［Ｎ］を取得し、最初と最後の計２回を除いた１１個のＴ［Ｎ］を単純平均することによって、Ｔave［Ｎ］が得られる。
【０１８３】
その後、以下の式より動摩擦係数μAを求める。
【数９】
0006624332.tif 000011
【０１８４】
上記直線関係は以下の通りに得られる。すなわち、可動式ストレインゲージ７１に０．４Ｎの荷重をかけた場合と１．５Ｎの荷重をかけた場合のそれぞれについて、可動式ストレインゲージ７１の出力値（電圧）を得る。得られた２つの出力値と上記２つの荷重とから、出力値と荷重との直線関係が得られる。当該直線関係を用いて、上記のとおり、摺動時の可動式ストレインゲージ７１による出力値（電圧）がＴ［Ｎ］に変換される。
【０１８５】
動摩擦係数μBは、上記他端に付与されるテンションＴ0［Ｎ］を１．２Ｎとすること以外は動摩擦係数μAの測定方法と同じ方法で測定される。
【０１８６】
以上のとおりにして測定された動摩擦係数μAおよび動摩擦係数μBから、摩擦係数比（μB／μA）が算出される。
【０１８７】
磁気テープＭＴに加わる張力が０．６Ｎであるときの磁性層４３の表面と磁気ヘッド５６の間の動摩擦係数をμCとした場合、走行５回目の動摩擦係数μC（５）と走行１０００回目の動摩擦係数μC（１０００）との摩擦係数比（μC（１０００）／μC（５））が、好ましくは１．０以上２．０以下、より好ましくは１．０以上１．５以下である。摩擦係数比（μC（１０００）／μC（５））が１．０以上で２．０以下であると、１０００回走行後による動摩擦係数の変化を小さくできるため、１０００回走行後においても、優れた走行安定性を得ることができる。ここで、磁気ヘッド５６としては磁気テープＭＴに対応したドライブのものを用いるものとする。
【０１８８】
摩擦係数比（μC（１０００）／μC（５））を算出するための動摩擦係数μC（５）および動摩擦係数μC（１０００）は以下の通りにして求められる。磁気テープＭＴの上記他端に付与されるテンションＴ0［Ｎ］を０．６Ｎとすること以外は動摩擦係数μAの測定方法と同じようにして、磁気テープＭＴを可動式ストレインゲージ７１と繋ぐ。そして、磁気テープＭＴを、ヘッドブロック７４に対して１０ｍｍ／ｓにて可動式ストレインゲージへ向かって６０ｍｍ摺動させ（往路）および可動式ストレインゲージから離れるように６０ｍｍ摺動させる（復路）。この往復動作を１０００回繰り返す。この１０００回の往復動作のうち、５回目の往路の６０ｍｍの摺動の摺動開始から摺動停止までの間に、ストレインゲージの出力値（電圧）を１３回取得し、動摩擦係数μAで求めた出力値と荷重との直線関係（後述する）に基づき、Ｔ［Ｎ］に変換する。最初と最後の計２回を除いた１１個を単純平均することによりＴave［Ｎ］を求める。以下の式により、動摩擦係数μC（５）を求める。
【数１０】
0006624332.tif 000012
上記直線関係は以下のとおりに得られる。すなわち、可動式ストレインゲージ７１に０．４Ｎの荷重をかけた場合と１．５Ｎの荷重をかけた場合のそれぞれについて、可動式ストレインゲージ７１の出力値（電圧）を得る。得られた２つの出力値と上記２つの荷重とから、出力値と荷重との直線関係が得られる。当該直線関係を用いて、上記のとおり、摺動時の可動式ストレインゲージ７１による出力値（電圧）がＴ［Ｎ］に変換される。
【０１８９】
さらに、動摩擦係数μC（１０００）は、１０００回目の往路の測定をすること以外は動摩擦係数μC（５）と同様にして求める。
【０１９０】
以上のとおりにして測定された動摩擦係数μC（５）および動摩擦係数μC（１０００）から、摩擦係数比μC（１０００）／μC（５）が算出される。
【０１９１】
［サーボライタの構成］
次に、図１１、図１２Ａ、図１２Ｂを参照して、上述のサーボパターンの書き込みに用いるサーボライタ２１０の構成の一例について説明する。
【０１９２】
サーボライタ２１０は、サーボ信号書込ヘッド２１９以外は、国際公開第２０１９／０９３４６９号公報に記載されるサーボライタ（特には同文献の図１を参照して説明されたサーボライタ）と同様の構成を有する。サーボ信号書込ヘッド２１９としては、特開２００６−１２７７３０号公報に記載されたサーボ信号書込ヘッド（特には同文献の図２６を参照して説明されたサーボ信号書込ヘッド）が用いられる。
【０１９３】
サーボトラックライタ２１０は、図１１に示すように、送出リール２１１と、巻取リール２１２と、キャプスタン２１３Ａ、２１４Ａと、ピンチローラ２１３Ｂ、２１４Ｂと、ガイドローラ２１５Ａ、２１５Ｂと、研磨部２１６と、ダスティング部２１７と、テンション調整部２１８と、サーボ信号書込ヘッド２１９と、サーボ信号読取ヘッド２２０と、プリアンプ２２１と、制御装置２２２と、パルス発生回路２２３と、駆動装置２２４とを備える。このサーボトラックライタ２１０は、長尺の磁気テープＭＴのサーボバンドにサーボ信号を書き込むための装置である。テンション調整部２１８は、テンションアーム２１８Ａと、一対の支持部２１８Ｂとを備える。
【０１９４】
サーボ信号書込ヘッド２１９は、図１２Ａに示すように、ヘッドチップ２３２を有し、このヘッドチップ２３２の上面に、リニア型磁気テープ（図示せず）に対する摺動面２３４を有し、この摺動面２３４内に、少なくとも、一部がサーボ信号記録用とされた記録用素子からなる磁気ヘッド部２３５と、周囲が閉じられた有底キャビティ２３６とが形成される。
【０１９５】
サーボ信号書込ヘッド２１９の摺動面２３４は、図１２Ｂに示すように、少なくとも一部がフラット面とされ、この摺動面２３４に対向配置されるリニア型磁気テープ（図示せず）は、走行時には、磁気ヘッド摺動面２３４のエッジ部によって近傍の空気をかき取られ、更に有底キャビティ２３６において減圧されることにより、摺動面２３４とのスペーシングがより小とされる。
【０１９６】
サーボトラックライタ２１０に搭載されているキャビティを有するサーボ信号書込ヘッド２１９と同ヘッドに隣接するガイドローラ２１５Ａおよび２１５Ｂの距離を調整し、且つ、サーボ信号書込ヘッド２１９へのテープ侵入角度を調整することによって、サーボパターンを記録する際のサーボ信号書込ヘッド２１９と磁気テープＭＴとの間の摩擦を調整することが可能である。このように摩擦を調整することで、磁気テープＭＴのσswを調整することが可能である。サーボパターンを記録する際のサーボ信号書込ヘッド２１９と磁気テープＭＴとの間の摩擦を低くするほど、σSWは低下する傾向にある。
【０１９７】
［磁気テープの製造方法］
次に、上述の構成を有する磁気テープＭＴの製造方法の一例について説明する。
【０１９８】
（塗料の調製工程）
まず、非磁性粉および結着剤等を溶剤に混練、分散させることにより、下地層形成用塗料を調製する。次に、磁性粉および結着剤等を溶剤に混練、分散させることにより、磁性層形成用塗料を調製する。磁性層形成用塗料および下地層形成用塗料の調製には、例えば、以下の溶剤、分散装置および混練装置を用いることができる。
【０１９９】
上述の塗料調製に用いられる溶剤としては、例えば、アセトン、メチルエチルケトン、メチルイソブチルケトン、シクロヘキサノン等のケトン系溶媒、メタノール、エタノール、プロパノール等のアルコール系溶媒、酢酸メチル、酢酸エチル、酢酸ブチル、酢酸プロピル、乳酸エチル、エチレングリコールアセテート等のエステル系溶媒、ジエチレングリコールジメチルエーテル、２−エトキシエタノール、テトラヒドロフラン、ジオキサン等のエーテル系溶媒、ベンゼン、トルエン、キシレン等の芳香族炭化水素系溶媒、メチレンクロライド、エチレンクロライド、四塩化炭素、クロロホルム、クロロベンゼン等のハロゲン化炭化水素系溶媒等が挙げられる。これらは単独で用いてもよく、適宜混合して用いてもよい。
【０２００】
上述の塗料調製に用いられる混練装置としては、例えば、連続二軸混練機、多段階で希釈可能な連続二軸混練機、ニーダー、加圧ニーダー、ロールニーダー等の混練装置を用いることができるが、特にこれらの装置に限定されるものではない。また、上述の塗料調製に用いられる分散装置としては、例えば、ロールミル、ボールミル、横型サンドミル、縦型サンドミル、スパイクミル、ピンミル、タワーミル、パールミル（例えばアイリッヒ社製「ＤＣＰミル」等）、ホモジナイザー、超音波分散機等の分散装置を用いることができるが、特にこれらの装置に限定されるものではない。
【０２０１】
（塗布工程）
次に、下地層形成用塗料を基体４１の一方の主面に塗布して乾燥させることにより、下地層４２を形成する。続いて、この下地層４２上に磁性層形成用塗料を塗布して乾燥させることにより、磁性層４３を下地層４２上に形成する。なお、乾燥の際に、例えばソレノイドコイルにより、磁性粉を基体４１の厚み方向に磁場配向させる。また、乾燥の際に、例えばソレノイドコイルにより、磁性粉を基体４１の走行方向（長手方向）に磁場配向させたのちに、基体４１の厚み方向に磁場配向させるようにしてもよい。このように長手方向に磁性粉を一旦配向させる処理を施すことで、磁性粉の垂直配向度（すなわち角形比Ｓ１）をさらに向上することができる。磁性層４３の形成後、基体４１の他方の主面にバック層４４を形成する。これにより、磁気テープＭＴが得られる。
【０２０２】
角形比Ｓ１、Ｓ２は、例えば、磁性層形成用塗料の塗膜に印加される磁場の強度、磁性層形成用塗料中における固形分の濃度、磁性層形成用塗料の塗膜の乾燥条件（乾燥温度および乾燥時間）を調整することにより所望の値に設定される。塗膜に印加される磁場の強度は、磁性粉の保磁力の２倍以上３倍以下であることが好ましい。角形比Ｓ１をさらに高めるためには（すなわち角形比Ｓ２をさらに低めるためには）、磁性層形成用塗料中における磁性粉の分散状態を向上させることが好ましい。また、角形比Ｓ１をさらに高めるためには、磁性粉を磁場配向させるための配向装置に磁性層形成用塗料が入る前の段階で、磁性粉を磁化させておくことも有効である。なお、上記の角形比Ｓ１、Ｓ２の調整方法は単独で使用されてもよいし、２以上組み合わされて使用されてもよい。
【０２０３】
（カレンダー工程、転写工程）
その後、得られた磁気テープＭＴにカレンダー処理を行い、磁性層４３の表面を平滑化する。次に、カレンダー処理が施された磁気テープＭＴをロール状に巻き取ったのち、この状態で磁気テープＭＴに加熱処理を行うことにより、バック層４４の表面の多数の突部４４Ａを磁性層４３の表面に転写する。これにより、磁性層４３の表面に多数の孔部４３Ａが形成される。
【０２０４】
加熱処理の温度は、５５℃以上７５℃以下であることが好ましい。加熱処理の温度が５５℃以上であると、良好な転写性を得ることができる。一方、加熱処理の温度が７５℃を超えると、細孔量が多くなりすぎ、磁性層４３の表面の潤滑剤が過多になってしまう虞がある。ここで、加熱処理の温度は、磁気テープＭＴを保持する雰囲気の温度である。
【０２０５】
加熱処理の時間は、１５時間以上４０時間以下であることが好ましい。加熱処理の時間が１５時間以上であると、良好な転写性を得ることができる。一方、加熱処理の時間が４０時間以下であると、生産性の低下を抑制することができる。
【０２０６】
（裁断工程）
最後に、磁気テープＭＴを所定の幅（例えば１／２インチ幅）に裁断する。以上により、磁気テープＭＴが得られる。
【０２０７】
（サーボパターンの書き込み工程）
上述のサーボライタ２１０によって、磁気テープＭＴにサーボパターンを書き込む。この際、上述のようにして、サーボパターンを書き込む際のサーボ信号書込ヘッド１１９と磁気テープＭＴとの間の摩擦を調整することにより、磁気テープＭＴの統計値σswを２４ｎｍ以下に調整することが可能である。
【０２０８】
［記録再生装置の構成］
記録再生装置５０は、上述の構成を有する磁気テープＭＴの記録および再生を行う。記録再生装置５０は、磁気テープＭＴの長手方向に加わるテンションを調整可能な構成を有している。また、記録再生装置５０は、カートリッジ１０を装填可能な構成を有している。ここでは、説明を容易とするために、記録再生装置５０が、１つのカートリッジ１０を装填可能な構成を有している場合について説明するが、記録再生装置５０が、複数のカートリッジ１０を装填可能な構成を有していてもよい。
【０２０９】
記録再生装置５０は、ネットワーク６０を介してサーバ６１およびパーソナルコンピュータ（以下「ＰＣ」という。）６２等の情報処理装置に接続されており、これらの情報処理装置から供給されたデータをカートリッジ１０に記録可能に構成されている。また、これらの情報処理装置からの要求に応じて、カートリッジ１０からデータを再生し、これらの情報処理装置に供給可能に構成されている。記録再生装置５０の最短記録波長は、好ましくは９６ｎｍ以下、より好ましくは８８ｎｍ以下、さらにより好ましくは８０ｎｍ以下である。
【０２１０】
記録再生装置５０は、図１に示すように、スピンドル５１と、記録再生装置５０側のリール５２と、スピンドル駆動装置５３と、リール駆動装置５４と、複数のガイドローラ５５と、磁気ヘッド（ヘッドユニット）５６と、通信部としてのリーダライタ５７と、通信インターフェース（以下、Ｉ／Ｆ）５８と、制御装置５９とを備えている。
【０２１１】
スピンドル５１は、カートリッジ１０を装着可能に構成されている。磁気テープＭＴには、サーボ信号としてハの字状のサーボパターンが予め記録されている。リール５２は、テープローディング機構（図示せず）を介してカートリッジ１０から引き出された磁気テープＭＴの先端（リーダーピン２０）を固定可能に構成される。
【０２１２】
スピンドル駆動装置５３は、制御装置５９からの命令に応じて、スピンドル５１を回転させる。リール駆動装置５４は、制御装置５９からの命令に応じて、リール５２を回転させる。複数のガイドローラ５５は、カートリッジ１０とリール５２との間に形成されるテープパスが磁気ヘッド５６に対して所定の相対位置関係となるように磁気テープＭＴの走行をガイドする。
【０２１３】
磁気テープＭＴに対してデータの記録が行われる際、または磁気テープＭＴからデータの再生が行われる際には、スピンドル駆動装置５３およびリール駆動装置５４により、スピンドル５１およびリール５２が回転駆動され、磁気テープＭＴが走行する。磁気テープＭＴの走行方向は、順方向（カートリッジ１０側からリール５２側に流れる方向）および逆方向（リール５２側からカートリッジ１０側へ流れる方向）での往復が可能とされている。
【０２１４】
本実施形態では、スピンドル駆動装置５３によるスピンドル５１の回転の制御、およびリール駆動装置５４によるリール５２の回転の制御により、データ記録時またはデータ再生時における磁気テープＭＴの長手方向のテンションが調整可能とされる。なお、磁気テープＭＴのテンション調整は、スピンドル５１およびリール５２の回転の制御に代えて、またはこの制御に加えて、ガイドローラ５５の移動の制御により行われてもよい。
【０２１５】
リーダライタ５７は、制御装置５９からの命令に応じて、カートリッジメモリ１１に対して第１の情報および第２の情報を書き込むことが可能に構成されている。また、リーダライタ５７は、制御装置５９からの命令に応じて、カートリッジメモリ１１から第１の情報および第２の情報を読み出すことが可能に構成されている。リーダライタ５７とカートリッジメモリ１１との間の通信方式としては、例えば、ＩＳＯ１４４４３方式が採用される。第２の情報は、テンション調整情報を含む。テンション調整情報は、データ記録時情報の一例である。
【０２１６】
制御装置５９は、例えば、制御部、記憶部、通信部等を含む。制御部は、例えば、ＣＰＵ（Central Processing Unit）等により構成されており、記憶部に記憶されたプログラムに従い、記録再生装置５０の各部を制御する。例えば、制御装置５９は、サーバ６１およびＰＣ６２等の情報処理装置の要求に応じて、情報処理装置から供給されるデータ信号を磁気ヘッド５６により磁気テープＭＴに記録する。また、制御装置５９は、サーバ６１およびＰＣ６２等の情報処理装置の要求に応じて、磁気ヘッド５６により、磁気テープＭＴに記録されたデータ信号を再生し、情報処理装置に供給する。
【０２１７】
記憶部は、各種のデータや各種のプログラムが記録される不揮発性のメモリと、制御部の作業領域として用いられる揮発性のメモリとを含む。上記各種のプログラムは、光ディスク等の可搬性の記録媒体または半導体メモリ等の可搬性の記憶装置から読み取られてもよいし、ネットワーク上のサーバ装置からダウンロードされてもよい。
【０２１８】
制御装置５９は、磁気テープＭＴに対するデータの記録時または磁気テープＭＴからデータの再生時に、磁気ヘッド５６により、隣接する２本のサーボバンドＳＢに記録されたサーボ信号を読み取る。制御装置５９は、２本のサーボバンドＳＢから読み取られるサーボ信号を用いて、磁気ヘッド５６がサーボパターンを追従するように、磁気ヘッド５６の位置を制御する。
【０２１９】
制御装置５９は、磁気テープＭＴに対するデータの記録時に、隣接する２本のサーボバンドＳＢから読み取られるサーボ信号の再生波形から、隣接する２本のサーボバンドＳＢ間の距離（磁気テープＭＴの幅方向における距離）ｄ１を求める。そして、求めた距離をリーダライタ５７によりメモリ３６に書き込む。
【０２２０】
制御装置５９は、磁気テープＭＴからのデータの再生時に、隣接する２本のサーボバンドＳＢから読み取られるサーボ信号の再生波形から、隣接する２本のサーボバンドＳＢ間の距離（磁気テープＭＴの幅方向における距離）ｄ２を求める。それと共に、制御装置５９は、リーダライタ５７によりメモリ３６から、磁気テープＭＴに対するデータの記録時に求めた、隣接する２本のサーボバンドＳＢ間の距離ｄ１を読み出す。制御装置５９は、磁気テープＭＴに対するデータの記録時に求めたサーボバンドＳＢ間の距離ｄ１と、磁気テープＭＴからのデータの再生時に求めたサーボバンドＳＢ間の距離ｄ２との差分Δｄが規定の範囲内になるように、スピンドル駆動装置５３およびリール駆動装置５４の回転を制御し、磁気テープＭＴの長手方向にかかるテンションを調整する。このテンション調整の制御は、例えばフィードバック制御により行われる。
【０２２１】
磁気ヘッド５６は、制御装置５９からの指令に応じて、磁気テープＭＴに対してデータを記録することが可能に構成されている。また、磁気ヘッド５６は、制御装置５９からの指令に応じて、磁気テープＭＴに記録されたデータを再生することが可能に構成されている。磁気ヘッド５６は、例えば、２つのサーボリードヘッド５６Ａ、５６Ｂおよび複数のデータライト／リードヘッド等を有している。
【０２２２】
サーボリードヘッド５６Ａ、５６Ｂは、磁気テープＭＴに記録されたサーボ信号から発生する磁界をＭＲ素子（ＭＲ：Magneto Resistive）等により読み取ることで、サーボ信号を再生可能に構成されている。２つのサーボリードヘッド５６Ａ、５６Ｂの幅方向の間隔は、隣接する２本のサーボバンドＳＢ間の距離と略同じとされている。
【０２２３】
データライト／リードヘッドは、２つのサーボリードヘッド５６Ａ、５６Ｂに挟み込まれる位置に、一方のサーボリードヘッド５６Ａ、５６Ｂから他方のサーボリードヘッド５６Ａ、５６Ｂに向かう方向に沿って等間隔に配置されている。データライト／リードヘッドは、磁気ギャップから発生する磁界によって、磁気テープＭＴに対してデータを記録することが可能に構成されている。また、データライト／リードヘッドは、磁気テープＭＴに記録されたデータから発生する磁界をＭＲ素子等により読み取ることで、データを再生可能に構成されている。
【０２２４】
通信Ｉ／Ｆ５８は、サーバ６１およびＰＣ６２等の情報処理装置と通信するためのものであり、ネットワーク６０に対して接続される。
【０２２５】
［データ記録時における記録再生装置の動作］
以下、図１３を参照して、データ記録時における記録再生装置５０の動作の一例について説明する。
【０２２６】
まず、制御装置５９は、記録再生装置５０にカートリッジ１０をローディングする（ステップＳ１１）。次に、制御装置５９は、スピンドル５１およびリール５２の回転を制御し、磁気テープＭＴの長手方向に規定のテンションをかけながら磁気テープＭＴを走行させる。そして、制御装置５９は、磁気ヘッド５６のサーボリードヘッド５６Ａ、５６Ｂによりサーボ信号を読み取ると共に、磁気ヘッド５６のデータライト／リードヘッドにより磁気テープＭＴに対してデータを記録する（ステップＳ１２）。
【０２２７】
このとき、磁気ヘッド５６は、磁気ヘッド５６の２つのサーボリードヘッド５６Ａ、５６Ｂにより隣接する２本のサーボバンドＳＢをトレースしながら、磁気ヘッド５６のデータライト／リードヘッドによりデータバンドＤＢに対してデータを記録する。
【０２２８】
次に、制御装置５９は、磁気ヘッド５６のサーボリードヘッド５６Ａ、５６Ｂにより読み取られたサーボ信号の再生波形から、データ記録時における、隣接する２本のサーボバンドＳＢ間の距離ｄ１を求める（ステップＳ１３）。次に、制御装置５９は、リーダライタ５７により、データ記録時のサーボバンドＳＢ間の距離ｄ１をカートリッジメモリ１１に書き込む（ステップＳ１４）。制御装置５９は、サーボバンドＳＢ間の距離ｄ１を連続的に計測し、カートリッジメモリ１１に書き込んでもよいし、サーボバンド間の距離ｄ１を一定間隔で計測し、カートリッジメモリ１１に書き込んでもよい。サーボバンドＳＢ間の距離ｄ１を一定間隔で計測し、カートリッジメモリ１１に書き込む場合には、メモリ３６に書き込まれる情報量を低減することができる。
【０２２９】
［データ再生時における記録再生装置の動作］
以下、図１４を参照して、データ再生時における記録再生装置５０の動作の一例について説明する。
【０２３０】
まず、制御装置５９は、記録再生装置５０にカートリッジ１０をローディングする（ステップＳ２１）。次に、制御装置５９は、リーダライタ５７によりカートリッジメモリ１１から記録時のサーボバンド間の距離ｄ１を読み出す（ステップＳ２２）。
【０２３１】
次に、制御装置５９は、スピンドル５１およびリール５２の回転を制御し、磁気テープＭＴの長手方向に規定のテンションをかけながら磁気テープＭＴを走行させる。そして、制御装置５９は、磁気ヘッド５６のサーボリードヘッド５６Ａ、５６Ｂによりサーボ信号を読み取ると共に、磁気ヘッド５６のデータライト／リードヘッドにより磁気テープＭＴからデータを再生する（ステップＳ２３）。
【０２３２】
次に、制御装置５９は、磁気ヘッド５６のサーボリードヘッド５６Ａ、５６Ｂにより読み取られたサーボ信号の再生波形から、データ再生時における、隣接する２本のサーボバンドＳＢ間の距離ｄ２を算出する（ステップＳ２４）。
【０２３３】
次に、制御装置５９は、ステップＳ２２において読み出したサーボバンド間の距離ｄ１と、ステップＳ２４において算出したサーボバンドＳＢ間の距離ｄ２との差分Δｄが規定値以内であるか否かを判断する（ステップＳ２５）。
【０２３４】
ステップＳ２５にて差分Δｄが規定値以内であると判断された場合には、制御装置５９は、規定のテンションが維持されるように、スピンドル５１およびリール５２の回転を制御する（ステップＳ２６）。
【０２３５】
一方、ステップＳ２５にて差分Δｄが規定値以内でないと判断された場合には、制御装置５９は、差分Δｄが小さくなるように、スピンドル５１およびリール５２の回転の制御し、走行する磁気テープＭＴにかかるテンションを調整し、処理をステップＳ２４に戻す（ステップＳ２７）。
【０２３６】
［効果］
以上説明したように、第１の実施形態に係る磁気テープＭＴでは、磁気テープＭＴが洗浄、乾燥された状態において測定された、磁気テープＭＴの全体のＢＥＴ比表面積が３．５ｍ2／ｇ以上７．０ｍ2／ｇ以下であり、サーボパターンの非直線性を示す統計値σSWが２４ｎｍであるため、磁気テープＭＴの全厚が薄い場合であっても、優れた走行安定性を得ることができる。また、磁性層４３の表面の算術平均粗さＲａが２．５ｎｍ以下であり、磁性層４３の垂直方向における角形比が６５％であり、磁性層４３の平均厚みが８０ｎｍであるため、優れた電磁変換特性を得ることができる。したがって、優れた走行安定性と電磁変換特性を両立することができる。
【０２３７】
さらに、第１の実施形態に係る磁気テープＭＴでは、基体４１は、ポリエステルを含む。これにより、上記データトラック幅でデータを記録した磁気テープＭＴ（カートリッジ１０）の周囲の環境温度や湿度の変化に伴い、磁気テープＭＴの幅が変化した場合には、走行時に磁気テープＭＴの長手方向のテンションを記録再生装置５０により調整することで、磁気テープＭＴの幅を一定またはほぼ一定に保つことができる。したがって、環境温度や湿度の変化に起因するオフトラックを抑制することができる。
【０２３８】
＜２  第２の実施形態＞
［記録再生装置の構成］
図１５は、本開示の第２の実施形態に係る記録再生システム１００Ａの構成の一例を示す概略図である。記録再生システム１００Ａは、カートリッジ１０と、記録再生装置５０Ａとを備える。
【０２３９】
記録再生装置５０Ａは、温度計６３と、湿度計６４とをさらに備える。温度計６３は、磁気テープＭＴ（カートリッジ１０）の周囲の温度を測定し、制御装置５９へ出力する。また、湿度計６４は、磁気テープＭＴ（カートリッジ１０）の周囲の湿度を測定し、制御装置５９へ出力する。
【０２４０】
制御装置５９は、磁気テープＭＴに対するデータの記録時に、温度計６３および湿度計６４により、磁気テープＭＴ（カートリッジ１０）の周囲の温度Ｔｍ１および湿度Ｈ１を測定し、リーダライタ５７を介してカートリッジメモリ１１に書き込む。温度Ｔｍ１および湿度Ｈ１は、磁気テープＭＴの周囲の環境情報の一例である。
【０２４１】
制御装置５９は、磁気テープＭＴに対するデータの記録時に、スピンドル５１およびリール５２の駆動データに基づいて、磁気テープＭＴの長手方向にかけられていたテンションＴｎ１を求め、リーダライタ５７を介してカートリッジメモリ１１に書き込む。
【０２４２】
制御装置５９は、磁気テープＭＴに対するデータの記録時に、隣接する２本のサーボバンドＳＢから読み取られるサーボ信号の再生波形から、隣接する２本のサーボバンドＳＢ間の距離ｄ１を求める。そして、この距離ｄ１に基づいて、データ記録時の磁気テープＭＴの幅Ｗ１を算出し、リーダライタ５７によりメモリ３６に書き込む。
【０２４３】
制御装置５９は、磁気テープＭＴからのデータの再生時に、温度計６３および湿度計６４により、磁気テープＭＴ（カートリッジ１０）の周囲の温度Ｔｍ２および湿度Ｈ２を測定する。
【０２４４】
制御装置５９は、磁気テープＭＴからのデータの再生時に、スピンドル５１およびリール５２の駆動データに基づいて、磁気テープＭＴの長手方向にかけられていたテンションＴｎ２を求める。
【０２４５】
制御装置５９は、磁気テープＭＴからのデータの再生時に、隣接する２本のサーボバンドＳＢから読み取られるサーボ信号の再生波形から、隣接する２本のサーボバンドＳＢ間の距離ｄ２を求める。そして、この距離ｄ２に基づいて、データ再生時の磁気テープＭＴの幅Ｗ２を算出する。
【０２４６】
制御装置５９は、磁気テープＭＴからのデータの再生時に、リーダライタ５７を介してカートリッジメモリ１１から、データ記録時に書き込んだ温度Ｔｍ１、湿度Ｈ１、テンションＴｎ１および幅Ｗ１を読み出す。そして、制御装置５９は、データの記録時における温度Ｔｍ１、湿度Ｈ１、テンションＴｎ１および幅Ｗ１と、データの再生時における温度Ｔｍ２、湿度Ｈ２、テンションＴｎ２および幅Ｗ２を用いて、データ再生時における磁気テープＭＴの幅Ｗ２がデータ記録時における磁気テープの幅Ｗ１に等しくまたはほぼ等しくなるように、磁気テープＭＴにかけるテンションを制御する。
【０２４７】
カートリッジメモリ１１のコントローラ３５は、アンテナコイル３１を介して記録再生装置５０Ａから受信した温度Ｔｍ１、湿度Ｈ１、テンションＴｎ１および幅Ｗ１をメモリ３６の第２の記憶領域３６Ｂに記憶する。カートリッジメモリ１１のコントローラ３５は、記録再生装置５０Ａからの要求に応じて、メモリ３６から温度Ｔｍ１、湿度Ｈ１、テンションＴｎ１および幅Ｗ１を読み出し、アンテナコイル３１を介して記録再生装置５０Ａに送信する。
【０２４８】
［データ記録時における記録再生装置の動作］
以下、図１６を参照して、データ記録時における記録再生装置５０Ａの動作の一例について説明する。
【０２４９】
まず、制御装置５９は、記録再生装置５０Ａにカートリッジ１０をローディングする（ステップＳ１０１）。次に、制御装置５９は、スピンドル５１およびリール５２の回転を制御し、磁気テープＭＴの長手方向に規定のテンションをかけながら磁気テープＭＴを走行させる。そして、制御装置５９は、磁気ヘッド５６により磁気テープＭＴに対してデータを記録する（ステップＳ１０２）。
【０２５０】
次に、制御装置５９は、温度計６３および湿度計６４から、データ記録時における磁気テープＭＴの周囲の温度Ｔｍ１および湿度Ｈ１（環境情報）を取得する（ステップＳ１０３）。
【０２５１】
次に、制御装置５９は、データ記録時におけるスピンドル５１およびリール５２の駆動データに基づいて、データ記録時において磁気テープＭＴの長手方向にかけられていたテンションＴｎ１を算出する（ステップＳ１０４）。
【０２５２】
次に、制御装置５９は、磁気ヘッド５６のサーボリードヘッド５６Ａ、５６Ｂにより読み取られたサーボ信号の再生波形から、隣接する２本のサーボバンドＳＢの距離ｄ１を求める。次に、制御装置５９は、この距離ｄ１に基づいて、データ記録時の磁気テープＭＴの幅Ｗ１を算出する（ステップＳ１０５）。
【０２５３】
次に、制御装置５９は、リーダライタ５７により、温度Ｔｍ１、湿度Ｈ１、テンションＴｎ１および磁気テープＭＴの幅Ｗ１をデータ記録時情報としてカートリッジメモリ１１に書き込む（ステップＳ１０６）。
【０２５４】
［データ再生時における記録再生装置の動作］
以下、図１７を参照して、データ再生時における記録再生装置５０Ａの動作の一例について説明する。
【０２５５】
まず、制御装置５９は、記録再生装置５０Ａにカートリッジ１０をローディングする（ステップＳ１１１）。次に、制御装置５９は、カートリッジメモリ１１に書き込まれたデータ記録時情報（温度Ｔｍ１、湿度Ｈ１、テンションＴｎ１および磁気テープＭＴの幅Ｗ１）を、リーダライタ５７によりカートリッジメモリ１１から読み出して取得する（ステップＳ１１２）。次に、制御装置５９は、温度計６３および湿度計６４により、データ再生時における現在の磁気テープＭＴの周囲の温度Ｔｍ２の情報および湿度Ｈ２の情報を取得する（ステップＳ１１３）。
【０２５６】
次に、制御装置５９は、データ記録時における温度Ｔｍ１と、データ再生時における温度Ｔｍ２との温度差ＴｍＤ（ＴｍＤ＝Ｔｍ２−Ｔｍ１）を算出する（ステップＳ１１４）。また、制御装置５９は、データ記録時における湿度Ｈ１と、データ再生時における湿度Ｈ２との湿度差ＨＤ（ＨＤ＝Ｈ２−Ｈ１）を算出する（ステップＳ１１５）。
【０２５７】
次に、制御装置５９は、温度差ＴｍＤに係数αを乗算し（ＴｍＤ×α）、湿度差ＨＤに係数βを乗算する（ＨＤ×β）（ステップＳ１１６）。係数αは、温度差１℃当たり、磁気テープＭＴのテンションをデータ記録時のテンションＴｎ１と比べてどの程度変更すればよいかを示す値である。係数βは、湿度差１％あたり、磁気テープＭＴのテンションをデータ記録時のテンションＴｎ１と比べてどの程度変更すればよいかを示す値である。
【０２５８】
次に、制御装置５９は、データ記録時におけるテンションＴｎ１に対して、ＴｍＤ×αの値と、ＨＤ×βの値とを加算することで、データ再生時（現在）において、磁気テープＭＴの長手方向にかけるべきテンションＴｎ２を算出する（ステップＳ１１７）。
Ｔｎ２＝Ｔｎ１＋ＴｍＤ×α＋ＨＤ×β
【０２５９】
データ再生時における磁気テープＭＴのテンションＴｎ２を決定した後、制御装置５９は、スピンドル５１およびリール５２の回転を制御し、そのテンションＴｎ２で磁気テープＭＴが走行するように磁気テープＭＴの走行を制御する。そして、制御装置５９は、磁気ヘッド５６のサーボリードヘッド５６Ａ、５６ＢによりサーボバンドＳＢのサーボ信号を読み取りながら、磁気ヘッド５６のデータライト／リードヘッドにより、データトラックＴｋに記録されたデータの再生を行う（ステップＳ１１８）。
【０２６０】
このとき、磁気テープＭＴのテンションの調整により、磁気テープＭＴの幅がデータ記録時の幅に合わせられているので、磁気ヘッド５６のデータライト／リードヘッドは、データトラックＴｋに対して正確に位置合わせすることができる。これにより、何らかの原因（例えば、温度、湿度の変動）で、磁気テープＭＴの幅が変動したような場合でも、磁気テープＭＴに記録されたデータを正確に再生することができる。
【０２６１】
なお、データ再生時（現在）において、磁気テープＭＴにかけるべきテンションＴｎ２の値は、データ再生時の温度の方がデータ記録時の温度よりも高ければ高くなる。このため、温度が高くなり、データ記録時よりも磁気テープＭＴの幅が広くなってしまった場合には、磁気テープＭＴの幅を狭めてデータ再生時と同じ幅を再現することができる。
【０２６２】
逆に、データ再生時（現在）において、磁気テープＭＴにかけるべきテンションＴｎ２の値は、データ再生時の温度の方がデータ記録時の温度よりも低ければ低くなる。このため、温度が低くなり、データ記録時よりも磁気テープＭＴの幅が狭くなってしまった場合には、磁気テープＭＴの幅を広げてデータ再生時と同じ幅を再現することができる。
【０２６３】
また、データ再生時（現在）において、磁気テープＭＴにかけるべきテンションＴｎ２の値は、データ再生時の湿度の方がデータ記録時の湿度よりも高ければ高くなる。このため、湿度が高くなり、データ記録時よりも磁気テープＭＴの幅が広くなってしまった場合には、磁気テープＭＴの幅を狭めてデータ再生時と同じ幅を再現することができる。
【０２６４】
逆に、データ再生時（現在）において、磁気テープＭＴにかけるべきテンションＴｎ２の値は、データ再生時の湿度の方がデータ記録時の湿度よりも低ければ低くなる。このため、湿度が低くなり、データ記録時よりも磁気テープＭＴの幅が狭くなってしまった場合には、磁気テープＭＴの幅を広げてデータ再生時と同じ幅を再現することができる。
【０２６５】
ここで、データ再生時において、磁気テープＭＴにかけるべきテンションＴｎ２を求めるために、データ記録時の温度Ｔｍ１、湿度Ｈ１、磁気テープＭＴのテンションＴｎ１に加えて（あるいは、テンションＴｎ１に代えて）、さらに、データ記録時における磁気テープＭＴの幅Ｗ１の情報が用いられてもよい。
【０２６６】
この場合も、同様に、制御装置５９は、温度差ＴｍＤ（ＴｍＤ＝Ｔｍ２−Ｔｍ１）と、湿度差ＨＤ（ＨＤ＝Ｈ２−Ｈ１）とを算出する。そして、制御装置５９は、温度差ＴｍＤに係数γを乗算し（ＴｍＤ×γ）、湿度差ＨＤに係数δを乗算する（ＨＤ×δ）（ステップＳ１１６）。
【０２６７】
ここで、係数γは、温度差１℃当たり磁気テープＭＴの幅がどの程度変動するかを示す値（温度に基づく単位長さ（幅方向）当たりの膨張率を示す値）である。また、係数δは、湿度差１％あたり、磁気テープＭＴの幅がどの程度変動するかを示す値（湿度に基づく単位長さ（幅方向）当たりの膨張率を示す値）である。
【０２６８】
次に、制御装置５９は、以下の式により、データ記録時における過去の磁気テープＭＴの幅Ｗ１に基づいて、データ再生時における現在の磁気テープＭＴの幅ｗ２を予測する。
Ｗ２＝Ｗ１（１＋ＴｍＤ×γ＋ＨＤ２×δ）
【０２６９】
次に、制御装置５９は、データ再生時における現在の磁気テープＭＴの幅ｗ２と、データ記録時における過去の磁気テープＭＴの幅Ｗ１との差ＷＤを算出する（ＷＤ＝Ｗ２−Ｗ１＝Ｗ１（ＴｍＤ×γ＋ＨＤ２×δ））。
【０２７０】
そして、制御装置５９は、幅の差ＷＤに係数εを乗算した値を、データ記録時における磁気テープＭＴのテンションＴｎ１に加算して、データ再生時における磁気テープＭＴのテンションＴｎ２を算出する
Ｔｎ２＝Ｔｎ１＋ＷＤ×ε
【０２７１】
ここで、係数εは、磁気テープＭＴの幅を単位距離分変化させるために必要な磁気テープＭＴの長手方向でのテンションを表す値である。
【０２７２】
データ再生時における磁気テープＭＴのテンションＴｎ２を決定した後、制御装置５９は、スピンドル５１およびリール５２の回転を制御し、そのテンションＴｎ２で磁気テープＭＴが走行するように磁気テープＭＴの走行を制御する。そして、制御装置５９は、磁気ヘッド５６のサーボリードヘッド５６Ａ、５６ＢによりサーボバンドＳＢのサーボ信号を読み取りながら、磁気ヘッド５６のデータライト／リードヘッドにより、データトラックＴｋに記録されたデータの再生を行う。
【０２７３】
このような方法でテンションＴｎ２が決定された場合においても、何らかの原因（例えば、温度、湿度の変動）で、磁気テープＭＴの幅が変動したような場合に、磁気テープＭＴに記録されたデータを正確に再生することができる。
【０２７４】
［効果］
以上説明したように、第２の実施形態では、磁気テープＭＴのデータ記録時情報がカートリッジメモリ１１に記憶されているので、この情報をデータ再生時に利用することで、磁気テープＭＴの幅を適切に調整することができる。したがって、磁気テープＭＴの幅が何らかの理由で変動したような場合でも、磁気テープＭＴに記録されたデータを正確に再生することができる。
【０２７５】
また、本実施形態では、データ記録時情報として、データ記録時における磁気テープＭＴの周囲の温度Ｔｍ１および湿度Ｈ１（環境情報）が書き込まれる。したがって、温度および湿度の変動による、磁気テープＭＴの幅およびデータトラックＴｋの幅の変動に適切に対応することができる。
【０２７６】
＜３  変形例＞
（変形例１）
上述の第１、第２の実施形態では、テンション調整情報がカートリッジメモリ１１に記憶される場合について説明したが、テンション調整情報が記録再生装置５０、５０Ａの制御装置５９に記憶されていてもよい。この場合、制御装置５９は、当該制御装置５９が記憶しているテンション調整情報により、スピンドル駆動装置５３およびリール駆動装置５４の回転を制御し、磁気テープＭＴの長手方向にかかるテンションを調整する。
【０２７７】
（変形例２）
磁気テープＭＴをライブラリ装置に用いるようにしてもよい。この場合、ライブラリ装置は、磁気テープＭＴの長手方向に加わるテンションを調整可能な構成を有しており、第１の実施形態における記録再生装置５０または第２の実施形態における記録再生装置５０Ａを複数備えるものであってもよい。
【０２７８】
（変形例３）
サーボライタが、サーボ信号の記録時等に磁気テープＭＴの長手方向のテンションを調整することで、磁気テープＭＴの幅を一定またはほぼ一定に保つようにしてもよい。この場合、サーボライタが、磁気テープＭＴの幅を検出する検出装置を備え、この検出装置の検出結果に基づき、磁気テープＭＴの長手方向のテンションを調整するようにしてもよい。
【０２７９】
（変形例４）
磁気テープＭＴは、垂直記録型の磁気テープに限定されるものであなく、水平記録型の磁気テープであってもよい。この場合、磁性粉としてはメタル磁性粉等の針状磁性粉を用いてもよい。
【０２８０】
（変形例５）
上述の第１の実施形態では、データ記録時における磁気テープに関連する幅関連情報として、サーボバンドＳＢ間の距離を用いる場合について説明したが、磁気テープＭＴの幅を用いるようにしてもよい。
【０２８１】
この場合、制御装置５９は、データ記録時に、サーボバンドＳＢ間の距離ｄ１から磁気テープＭＴの幅Ｗ１を算出し、この幅Ｗ１をリーダライタ５７によりカートリッジメモリ１１に書き込む。
【０２８２】
制御装置５９は、データ再生時に、カートリッジメモリ１１からデータ記録時の磁気テープＭＴの幅Ｗ１をカートリッジメモリ１１から読み出すと共に、データ再生時のサーボバンドＳＢ間の距離ｄ２からデータ再生時の磁気テープＭＴの幅Ｗ２を算出する。そして、制御装置５９は、データ記録時の磁気テープＭＴの幅Ｗ１と、データ再生時の磁気テープＭＴの幅Ｗ２との差分ΔＷを算出し、差分ΔＷが規定値以内であるか否かを判断する。
【０２８３】
差分Δｄが規定値以内である場合には、制御装置５９は、規定のテンションが維持されるように、スピンドル５１およびリール５２の回転駆動を制御する。一方、差分Δｄが規定値以内でない場合には、差分Δｄが規定値以内に収まるように、スピンドル５１およびリール５２の回転駆動の制御し、走行する磁気テープＭＴにかかるテンションを調整する。
【０２８４】
（変形例６）
上述の第２の実施形態では、データ記録時情報として、温度Ｔｍ１、Ｔｍ２、湿度Ｈ１、Ｈ２、テンションＴｎ１、Ｔｎ２、幅Ｗ１、Ｗ２の全てが用いられる場合について説明したが、データ記録時情報は、温度Ｔｍ１、Ｔｍ２、湿度Ｈ１、Ｈ２、テンションＴｎ１、Ｔｎ２、および幅Ｗ１、Ｗ２のうちいずれか１つであってもよいし、任意の２つ、３つの組合せであってもよい。
【０２８５】
カートリッジメモリ１１に対して、データ記録時の情報（温度Ｔｍ１、湿度Ｈ１、テンションＴｎ１、幅Ｗ１）だけでなく、データ再生時の情報（温度Ｔｍ２、湿度Ｈ２、テンションＴｎ２、幅Ｗ２）が記憶されてもよい。例えば、このデータ再生時の情報は、データが再生された後、さらに別の機会に磁気テープＭＴ内のデータが再生されるときに使用される。
【０２８６】
（変形例７）
上述の第１、第２の実施形態では、バック層４４の表面に設けられた多数の突部４４Ａを、磁性層４３の表面に転写することにより、磁性層４３の表面に多数の孔部４３Ａを形成する場合について説明したが、多数の孔部４３Ａの形成方法はこれに限定されるものではない。例えば、磁性層形成用塗料に含まれる溶剤の種類および磁性層形成用塗料の乾燥条件等を調整することで、磁性層４３の表面に多数の孔部４３Ａを形成するようにしてもよい。
【実施例】
【０２８７】
以下、実施例により本開示を具体的に説明するが、本開示はこれらの実施例のみに限定されるものではない。
【０２８８】
以下の実施例および比較例において、磁気テープの平均厚み、磁性層の表面の算術平均粗さＲａ、垂直方向における角形比、磁性層の平均厚み、ＢＥＴ比表面積、細孔分布（脱着時最大細孔容積の細孔直径）、およびサーボパターンの非直線性を示す統計値σSWは、上述の第１の実施形態にて説明した測定方法により求められた値である。
【０２８９】
［実施例１］
（磁性層形成用塗料の調製工程）
磁性層形成用塗料を以下のようにして調製した。まず、下記配合の第１組成物をエクストルーダで混練した。次に、ディスパーを備えた攪拌タンクに、混練した第１組成物と、下記配合の第２組成物を加えて予備混合を行った。続いて、さらにサンドミル混合を行い、フィルター処理を行い、磁性層形成用塗料を調製した。
【０２９０】
（第１組成物）
バリウムフェライト（ＢａＦｅ12Ｏ19）粒子の粉末（六角板状、平均アスペクト比
２．８、平均粒子体積１６００ｎｍ3）：１００質量部
塩化ビニル系樹脂（樹脂溶液：樹脂分３０質量％、シクロヘキサノン７０質量％）：４２質量部（溶剤含む）
（重合度３００、Ｍｎ＝１００００、極性基としてＯＳＯ3Ｋ＝０．０７ｍｍｏｌ／ｇ、２級ＯＨ＝０．３ｍｍｏｌ／ｇを含有する。）
酸化アルミニウム粉末：５質量部
（α−Ａｌ2Ｏ3、平均粒径０．１μｍ）
カーボンブラック：２質量部
（東海カーボン社製、商品名：シーストＴＡ）
【０２９１】
（第２組成物）
塩化ビニル系樹脂：３質量部（溶剤含む）
（樹脂溶液：樹脂分３０質量％、シクロヘキサノン７０質量％）
ｎ−ブチルステアレート：２質量部
メチルエチルケトン：１２１．３質量部
トルエン：１２１．３質量部
シクロヘキサノン：６０．７質量部
【０２９２】
最後に、上述のようにして調製した磁性層形成用塗料に、硬化剤としてポリイソシアネート（商品名：コロネートＬ、東ソー株式会社）：４質量部と、潤滑剤としてステアリン酸：２質量部とを添加した。
【０２９３】
（下地層形成用塗料の調製工程）
下地層形成用塗料を以下のようにして調製した。まず、下記配合の第３組成物をエクストルーダで混練した。次に、ディスパーを備えた攪拌タンクに、混練した第３組成物と、下記配合の第４組成物を加えて予備混合を行った。続いて、さらにサンドミル混合を行い、フィルター処理を行い、下地層形成用塗料を調製した。
【０２９４】
（第３組成物）
針状酸化鉄粉末：１００質量部
（α−Ｆｅ2Ｏ3、平均長軸長０．１５μｍ）
塩化ビニル系樹脂：６０．６質量部（溶剤含む）
（樹脂溶液：樹脂分３０質量％、シクロヘキサノン７０質量％）
カーボンブラック：１０質量部
（平均粒径２０ｎｍ）
【０２９５】
（第４組成物）
ポリウレタン系樹脂ＵＲ８２００（東洋紡績製）：１８．５質量部
ｎ−ブチルステアレート：２質量部
メチルエチルケトン：１０８．２質量部
トルエン：１０８．２質量部
シクロヘキサノン：１８．５質量部
【０２９６】
最後に、上述のようにして調製した下地層形成用塗料に、硬化剤としてポリイソシアネート（商品名：コロネートＬ、東ソー株式会社）：４質量部と、潤滑剤としてステアリン酸：２質量部とを添加した。
【０２９７】
（バック層形成用塗料の調製工程）
バック層形成用塗料を以下のようにして調製した。下記原料を、ディスパーを備えた攪拌タンクで混合を行い、フィルター処理を行うことで、バック層形成用塗料を調製した。
小粒径のカーボンブラックの粉末（平均粒径（Ｄ５０）２０ｎｍ）：９０質量部
大粒径のカーボンブラックの粉末（平均粒径（Ｄ５０）２７０ｎｍ）：１０質量部
ポリエステルポリウレタン：１００質量部
（東ソー株式会社、商品名：Ｎ−２３０４）
メチルエチルケトン：５００質量部
トルエン：４００質量部
シクロヘキサノン：１００質量部
【０２９８】
（塗布工程）
上述のようにして調製した磁性層形成用塗料および下地層形成用塗料を用いて、非磁性支持体である、平均厚み４．２μｍ、長尺のポレエチレンナフタレートフィルム（以下「ＰＥＮフィルム」という。）の一方の主面上に下地層および磁性層を以下のように形成した。まず、ＰＥＮフィルムの一方の主面上に下地層形成用塗料を塗布、乾燥させることにより、カレンダー後に平均厚みが０．９μｍとなるように下地層を形成した。次に、下地層上に磁性層形成用塗料を塗布、乾燥させることにより、カレンダー後に平均厚みが８０ｎｍとなるように磁性層を形成した。なお、磁性層形成用塗料の乾燥の際に、ソレノイドコイルにより、磁性粉をフィルムの厚み方向に磁場配向させた。また、磁性層形成用塗料の乾燥条件（乾燥温度および乾燥時間）を調整し、磁気テープの厚み方向（垂直方向）における角形比Ｓ１を６５％に設定した。続いて、ＰＥＮフィルムの他方の主面上にバック層形成用塗料を塗布、乾燥させることにより、カレンダー後に平均厚みが０．４μｍになるようにバック層を形成した。これにより、磁気テープが得られた。
【０２９９】
（カレンダー工程、転写工程）
まず、カレンダー処理を行い、磁性層の表面を平滑化した。この際、カレンダー処理の条件を調整して、磁性層の表面の算術平均粗さＲａを２．５ｎｍに設定した。次に、得られた磁気テープをロール状に巻き取ったのち、この状態で磁気テープに６０℃、１０時間の第１の加熱処理を行った。そして、内周側に位置している端部が反対に外周側に位置するように、磁気テープをロール状に巻き直したのち、この状態で磁気テープに６０℃、１０時間の第２の加熱処理を行った。これにより、バック層の表面の多数の突部が磁性層の表面に転写され、磁性層の表面に多数の孔部が形成された。磁気テープの全体のＢＥＴ比表面積は、４．５ｍ2／ｇであった。また、磁気テープＭＴの全体の平均細孔直径は、８．０ｎｍであった。
【０３００】
（裁断工程）
上述のようにして得られた磁気テープを１／２インチ（１２．６５ｍｍ）幅に裁断した。これにより、平均厚み５．６μｍの長尺状の磁気テープが得られた。
【０３０１】
（サーボパターンの書き込み工程）
上述のようにして得られた磁気テープに、サーボライタを用いてサーボパターンを書き込むことにより、５本のサーボバンドを形成した。サーボパターンは、ＬＴＯ−８規格に準拠するものとされた。サーボライタとしては、第１の実施形態にて説明した構成を有するものが用いられた（図１１、図１２Ａ、図１２Ｂ参照）。
【０３０２】
サーボ信号書込ヘッドとガイドローラの距離を調整し、且つ、サーボ信号書込ヘッドへのテープ侵入角度を調整することにより、サーボパターンを記録する際のサーボ信号書込ヘッドと磁気テープとの間の摩擦係数を調整した。これにより、磁気テープのσswが２３ｎｍへと調整された。以上により、サーボパターンが書き込まれた磁気テープが得られた。
【０３０３】
［実施例２］
塗布工程において、ＰＥＮフィルムの平均厚みを４．０μｍ、下地層の平均厚みを０．６μｍとしたこと以外は実施例１と同様にして、サーボパターンが書き込まれた、平均厚み５．１μｍの磁気テープを得た。
【０３０４】
［実施例３］
カレンダー工程において、カレンダー処理の条件を調整して、磁性層の表面の算術平均粗さＲａを２．２ｎｍに設定したこと以外は実施例１と同様にして、サーボパターンが書き込まれた磁気テープを得た。
【０３０５】
［実施例４］
磁性層形成用塗料の乾燥条件（乾燥温度および乾燥時間）を調整し、磁気テープの厚み方向（垂直方向）における角形比を７０％に設定したこと以外は実施例１と同様にして、サーボパターンが書き込まれた磁気テープを得た。
【０３０６】
［実施例５］
塗布工程において、ＰＥＮフィルムの平均厚みを４．２μｍ、カレンダー後の下地層の平均厚みを０．９μｍ、カレンダー後の磁性層の平均厚みを７０ｎｍとしたこと以外は実施例１と同様にして、サーボパターンが書き込まれた、平均厚み５．６μｍの磁気テープを得た。
【０３０７】
［実施例６］
塗布工程において、ＰＥＮフィルムの平均厚みを４．２μｍ、カレンダー後の下地層の平均厚みを０．９μｍ、カレンダー後の磁性層の平均厚みを５０ｎｍとしたこと以外は実施例１と同様にして、サーボパターンが書き込まれた、平均厚み５．６μｍの磁気テープを得た。
【０３０８】
［実施例７］
転写工程において、第１、第２の加熱処理の温度を５５℃とし、第１、第２の加熱処理の時間を１０時間とすることにより、ＢＥＴ比表面積を３．５ｍ2／ｇとしたこと以外は実施例１と同様にして、サーボパターンが書き込まれた磁気テープを得た。
【０３０９】
［実施例８］
転写工程において、第１、第２の加熱処理の温度を７０℃とし、第１、第２の加熱処理の時間を１０時間とすることにより、ＢＥＴ比表面積を７．０ｍ2／ｇ、平均細孔直径を６．０ｎｍとしたこと以外は実施例１と同様にして、サーボパターンが書き込まれた磁気テープを得た。
【０３１０】
［実施例９］
サーボパターンの書き込み工程において、サーボ信号書込ヘッドと磁気テープとの間の摩擦係数を実施例１に比べて減らすことにより、サーボパターンの非直線性を示す統計値σSWを２０ｎｍに設定したこと以外は実施例１と同様にして、サーボパターンが書き込まれた磁気テープを得た。
【０３１１】
［実施例１０］
サーボパターンの書き込み工程において、サーボ信号書込ヘッドと磁気テープとの間の摩擦係数を実施例９に比べて減らすことにより、サーボパターンの非直線性を示す統計値σSWを１５ｎｍに設定したこと以外は実施例１と同様にして、サーボパターンが書き込まれた磁気テープを得た。
【０３１２】
［実施例１１］
磁性層形成用塗料の調製工程において、磁性粉としてストロンチウムフェライト粒子の粉末（六角板状、アスペクト比２．９、粒子体積１６００ｎｍ3）を用いたこと以外は実施例１と同様にして、サーボパターンが書き込まれた磁気テープを得た。
【０３１３】
［実施例１２］
磁性層形成用塗料の調製工程において、磁性粉としてε酸化鉄粒子の粉末（球状、アスペクト比１．１、粒子体積１８００ｎｍ3）を用いたこと以外は実施例１と同様にして、サーボパターンが書き込まれた磁気テープを得た。
【０３１４】
［実施例１３］
磁性層形成用塗料の調製工程において、磁性粉としてコバルトフェライトの粉末（立方体状、アスペクト比１．７、粒子体積２０００ｎｍ3）を用いたこと以外は実施例１と同様にして、サーボパターンが書き込まれた磁気テープを得た。
【０３１５】
［実施例１４］
磁性層形成用塗料の乾燥条件（乾燥温度および乾燥時間）を調整し、磁気テープの厚み方向（垂直方向）における角形比を７０％に設定したこと、および転写工程において、第１、第２の加熱処理の温度を５５℃とし、第１、第２の加熱処理の時間を１０時間とすることにより、ＢＥＴ比表面積を３．５ｍ2／ｇ、平均細孔直径を８．０ｎｍとしたこと以外は実施例３と同様にして、サーボパターンが書き込まれた磁気テープを得た。
【０３１６】
［実施例１５］
転写工程において、第１、第２の加熱処理の温度を７０℃とし、第１、第２の加熱処理の時間を１０時間とすることにより、ＢＥＴ比表面積を７．０ｍ2／ｇ、平均細孔直径を６．０ｎｍとしたこと以外は実施例１４と同様にして、サーボパターンが書き込まれた磁気テープを得た。
【０３１７】
［比較例１］
サーボパターンの書き込み工程において、磁気テープの張力を実施例１に比べて高くし、サーボ信号書込ヘッドと磁気テープとの間の摩擦係数を上げることにより、サーボパターンの非直線性を示す統計値σSWを２５ｎｍに設定したこと以外は実施例１と同様にして、サーボパターンが書き込まれた磁気テープを得た。
【０３１８】
［比較例２］
カレンダー工程において、カレンダー処理の条件を調整して、磁性層の表面の算術平均粗さＲａを３．０ｎｍに設定したこと以外は実施例１と同様にして、サーボパターンが書き込まれた磁気テープを得た。
【０３１９】
［比較例３］
磁性層形成用塗料の乾燥条件（乾燥温度および乾燥時間）を調整し、磁気テープの厚み方向（垂直方向）における角形比を６０％に設定したこと以外は実施例１と同様にして、サーボパターンが書き込まれた磁気テープを得た。
【０３２０】
［比較例４］
塗布工程において、ＰＥＮフィルムの平均厚みを４．２μｍ、カレンダー後の下地層の平均厚みを０．９μｍ、カレンダー後の磁性層の平均厚みを９０ｎｍとしたこと以外は実施例１と同様にして、サーボパターンが書き込まれた、平均厚み５．６μｍの磁気テープを得た。
【０３２１】
［比較例５］
転写工程において、第１、第２の加熱処理の温度を５５℃とし、第１、第２の加熱処理の時間を１０時間とすることにより、ＢＥＴ比表面積を３．２ｍ2／ｇ、平均細孔直径を９．０ｎｍとしたこと以外は実施例１と同様にして、サーボパターンが書き込まれた磁気テープを得た。
【０３２２】
［比較例６］
転写工程において、第１、第２の加熱処理の温度を７０℃とし、第１、第２の加熱処理の時間を２０時間としたことにより、ＢＥＴ比表面積を８．０ｍ2／ｇ、平均細孔直径を６．０ｎｍとしたこと以外は実施例１と同様にして、サーボパターンが書き込まれた磁気テープを得た。
【０３２３】
［評価］
（ＳＮＲ）
実施例１〜１５、比較例１〜６の磁気テープ（サーボパターンが書き込み後の磁気テープ）のＳＮＲを以下のようにして評価した。記録／再生ヘッドおよび記録／再生アンプを取り付けた１／２インチテープ走行装置（Mountain Engineering II社製、MTS Transport）を用いて、２５℃環境における磁気テープのＳＮＲ（電磁変換特性）を測定した。記録ヘッドにはギャップ長０．２μｍのリングヘッドを用い、再生ヘッドにはシールド間距離０．１μｍのＧＭＲヘッドを用いた。相対速度は６ｍ／ｓ、記録クロック周波数は１６０ＭＨｚ、記録トラック幅は２．０μｍとした。また、ＳＮＲは、下記の文献に記載の方法に基づき算出した。その結果を、実施例１のＳＮＲを０ｄＢとする相対値で表２に示した。
Y.Okazaki:“An Error Rate Emulation System.”,IEEE Trans. Man., 31,pp.3093-3095(1995)
【０３２４】
（摩擦係数比）
実施例１〜１５、比較例１〜６の磁気テープの摩擦係数比（μB／μA）および摩擦係数比（μC（１０００）／μC（５））を、上述の第１の実施形態にて説明した評価方法により評価した。
【０３２５】
(走行安定性（１）)
実施例１〜１５、比較例１〜６の磁気テープ（サーボパターンが書き込み後の磁気テープ）の走行安定性を以下のようにして評価した。磁気テープをＬＴＯカートリッジに組み込んだ。当該ＬＴＯカートリッジに対して、ＳＣＳＩおよびファイバーチャネルを介してサーバおよびＰＣと接続されたＬＴＯドライブを用いて磁気テープ全面にデータを記録し、再生する、いわゆるフルボリュームテストを実施した。当該フルボリュームテストでは、データの記録状態が逐次監視されており、問題が発生した場合は当該問題に関する情報が記録された。
【０３２６】
当該フルボリュームテストにおいて、磁気テープの走行状態が不安定であると、ドライブは自動的に記録を一時停止する、いわゆるストップライトを行う。当該ストップライトが行われると、データの転送レートが落ちる。また、当該フルボリュームテストにおいて、磁気テープの走行状態がさらに不安定になると、ドライブは自動的に記録を完全に停止し、いわゆるフェイル状態になる。
【０３２７】
実施例１〜１５および比較例１〜６の磁気テープそれぞれについて、当該フルボリュームテストを連続で５回繰り返し実施し、「フルボリュームテスト５回目の転送レートの相対値」および「フェイルの有無」が記録された。フルボリュームテストにおける転送レートの相対値は、評価に使用したドライブの最高性能が発揮された場合の転送レートに対する、フルボリュームテスト１回あたりの平均転送レートの割合である。当該ドライブの最高性能が発揮された場合を１００％とする。例えば、ＬＴＯ８ドライブを使用してファイバーチャネルを介してサーバに接続し、ＬＴＯ８フォーマットで記録を行った場合において、当該ＬＴＯ８ドライブが最高性能を発揮した時の転送レートは３５０ＭＢ／ｓｅｃである。「フェイルの有無」は、上記のとおりのフェイル状態になったか否かである。
【０３２８】
以下の表２に示される４段階の評価基準に従い、各磁気テープを評価した。表２に示されるとおり、レベル４が最良の走行安定性を有することを意味し、レベル１が最悪の走行安定性を有することを意味する。例えば、磁気テープの転送レートの相対値が５回目のフルボリュームテスト全てにおいて９５％以上１００％以下であり且つフェイルが無い場合に、当該磁気テープはレベル４であると評価される。レベル４または３の評価（すなわち、フルボリュームテスト５回目における磁気テープの転送レートが８０％以上であること）が、磁気テープの良好な走行安定性の観点から望ましい。
各磁気テープの走行安定性の評価結果は、表３の「走行安定性（１）」の列に示されている。
【０３２９】
表２に、上記の４段階の走行安定性の判定基準の詳細を示す。
【表２】
0006624332.tif 000013
【０３３０】
（走行安定性（２））
実施例１〜１５、比較例１〜６の磁気テープ（サーボパターンが書き込み後の磁気テープ）の走行安定性を以下のようにして評価した。まず、カートリッジとして、テンション調整情報を書き込む記憶領域をメモリに有し、上記領域に対するテンション調整情報の書き込み、および上記領域からのテンション調整情報の読み出しをコントローラにより行うことが可能なカートリッジメモリを備えるものを準備した。このカートリッジのサイズは、上記の走行安定性（１）の評価で用いたカートリッジと同様のサイズ（１０２ｍｍ×１０５ｍｍ×２２ｍｍ）とした。
【０３３１】
次に、磁気テープ全面にデータを記録および再生するときに磁気テープの長手方向のテンションを調整すること以外は、上記の“走行安定性（１）”と同様にしてフルボリュームテストを行った。次に、上記の“走行安定性（１）”と同様にして走行安定性をレベル１〜４の４段階で評価した。
各磁気テープの走行安定性の評価結果は、表３の「走行安定性（２）」の列に示されている。
【０３３２】
磁気テープの長手方向のテンション調整は以下のようにして行った。すなわち、記録再生装置により磁気テープを往復走行ながら、２列以上のサーボバンド（サーボトラック）を同時に再生し、それらのサーボバンドのハの字のサーボパターン列（サーボ信号）それぞれの再生波形の形状から、走行時のサーボパターン列の間隔を連続的（サーボの位置情報があるポイント毎（具体的には約６ｍｍ毎））に計測した。そして、この計測されたサーボパターン列の間隔情報に基づき、スピンドル駆動装置とリール駆動装置の回転駆動を制御し、サーボパターン列の間隔が規定の幅に近づくように、磁気テープの長手方向のテンションを自動で調整するようにした。ここで、“規定の幅”とは、記録再生装置が有する２つのサーボリードヘッド間の距離を意味する。なお、磁気テープの走行時には、２つのサーボリードヘッドはそれぞれ、データバンドの上下に位置する２つのサーボバンドに位置される。
【０３３３】
（ヤング率）
実施例１〜１５、比較例１〜６の磁気テープのヤング率を、上述の第１の実施形態にて説明したヤング率の測定方法により測定した。
【０３３４】
表３は、実施例１〜１５、比較例１〜６の磁気テープの構成および評価結果を示す。
【表３】
0006624332.tif 000014
【０３３５】
上記評価の結果から以下のことがわかる。
磁気テープが洗浄、乾燥された状態において測定された、磁気テープの全体のＢＥＴ比表面積が３．５ｍ2／ｇ以上７．０ｍ2／ｇ以下の範囲を外れると、走行安定性が低下する（実施例１、７、８、比較例５、６）。
サーボパターン列（サーボバンド）の非直線性を示す統計値σSWが２４ｎｍを超えると、走行安定性が低下する（実施例１、９、１０、比較例１）。
磁性層の表面の算術平均粗さＲａが２．５ｎｍを超えると、電磁変換特性（ＳＮＲ）が悪化する（実施例１、３、比較例２）。
磁性層の垂直方向における角形比が６５％未満であると、電磁変換特性（ＳＮＲ）が悪化する（実施例１、４、比較例３）。
磁性層の平均厚みが８０ｎｍを超えると、電磁変換特性（ＳＮＲ）が悪化する（実施例１、５、６、比較例４）。
【０３３６】
したがって、平均厚みが５．６μｍ以下である磁気テープにおいて、優れた走行安定性と電磁変換特性を両立するためには、磁気テープの全体のＢＥＴ比表面積が３．５ｍ2／ｇ以上７．０ｍ2／ｇ以下であり、サーボパターンの非直線性を示す統計値σSWが２４ｎｍ以下であり、磁性層の表面の算術平均粗さＲａが２．５ｎｍ以下であり、磁性層の垂直方向における角形比が６５％以上であり、磁性層の平均厚みが８０ｎｍ以下である。
【０３３７】
磁性粉としてバリウムフェライト粒子粉に代えてストロンチウムフェライト粒子粉を用いても、ＢＥＴ比表面積、統計値σSW、算術平均粗さＲａ、角形比および磁性層の平均厚みが上記の数値範囲を満たすことで、平均厚みが５．６μｍ以下である磁気テープにおいて、優れた走行安定性と電磁変換特性を両立することができる（実施例１、１１）。
【０３３８】
磁性粉として六方晶フェライト粒子粉（バリウムフェライト粒子粉、ストロンチウムフェライト粒子粉）に代えて、ε酸化鉄粒子粉またはコバルトフェライト粒子粉を用いた場合にも、ＢＥＴ比表面積、統計値σSW、算術平均粗さＲａ、角形比および磁性層の平均厚みが上記の数値範囲を満たすことで、平均厚みが５．６μｍ以下である磁気テープにおいて、優れた走行安定性と電磁変換特性を両立することができる（実施例１、１２、１３）。
【０３３９】
ＢＥＴ比表面積、統計値σSW、算術平均粗さＲａ、角形比および磁性層の平均厚みが上記の数値範囲を満たすことで、磁気テープのテンションを調整した場合にも、平均厚みが５．６μｍ以下であり磁気テープにおいて、優れた走行安定性と電磁変換特性を両立することができる（実施例１）。
【０３４０】
平均厚みが５．６μｍ以下である磁気テープにおいて、より優れた走行安定性を得るためには、サーボパターン列（サーボバンド）の非直線性を示す統計値σSWが２０ｎｍ以下であることが好ましい（実施例１、９、１０）。
より優れた電磁変換特性を得るためには、磁性層の表面の算術平均粗さＲａが２．２ｎｍ以下であることが好ましい（実施例１、３）。
より優れた電磁変換特性を得るためには、磁性層の垂直方向における角形比が７０％以上であることが好ましい（実施例１、４）。
【０３４１】
摩擦係数比（μB／μA）が１．０以上２．０以下の範囲であると、平均厚みが５．６μｍ以下である磁気テープをテンションコントロールしても、優れた走行安定性が得られる（実施例１、８、１４、１５、比較例５、６）。
摩擦係数比（μC（１０００）／μC（５）が１．０以上２．０以下の範囲であると、平均厚みが５．６μｍ以下の磁気テープに対して５回のフルボリュームテストを行った後にも（すなわち平均厚みが５．６μｍ以下の磁気テープを１０００回を超えてパスした後にも）、優れた走行安定性が得られる（実施例１、３、７、１４、１５、比較例５、６）。
【０３４２】
以上、本開示の実施形態および変形例について具体的に説明したが、本開示は、上述の実施形態および変形例に限定されるものではなく、本開示の技術的思想に基づく各種の変形が可能である。例えば、上述の実施形態および変形例において挙げた構成、方法、工程、形状、材料および数値等はあくまでも例に過ぎず、必要に応じてこれと異なる構成、方法、工程、形状、材料および数値等を用いてもよい。上述の実施形態および変形例の構成、方法、工程、形状、材料および数値等は、本開示の主旨を逸脱しない限り、互いに組み合わせることが可能である。
【０３４３】
上述の実施形態および変形例にて例示した化合物等の化学式は代表的なものであって、同じ化合物の一般名称であれば、記載された価数等に限定されない。上述の実施形態および変形例で段階的に記載されている数値範囲において、ある段階の数値範囲の上限値または下限値は、他の段階の数値範囲の上限値または下限値に置き換えてもよい。上述の実施形態および変形例で例示した材料は、特に断らない限り、１種を単独でまたは２種以上を組み合わせて用いることができる。
【０３４４】
また、本開示は以下の構成を採用することもできる。
（１）
テープ状の磁気記録媒体であって、
基体と、
前記基体上に設けられた下地層と、
前記下地層上に設けられた磁性層と
を備え、
前記基体は、ポリエステルを含み、
前記下地層および前記磁性層は、潤滑剤を含み、
前記磁性層は、多数の孔部が設けられた表面を有し、
前記表面の算術平均粗さＲａは、２．５ｎｍ以下であり、
前記磁気記録媒体が洗浄、乾燥された状態において測定された、前記磁気記録媒体の全体のＢＥＴ比表面積は、３．５ｍ2／ｇ以上７．０ｍ2／ｇ以下であり、
前記磁性層の垂直方向における角形比は、６５％以上であり、
前記磁性層の平均厚みは、８０ｎｍ以下であり、
前記磁気記録媒体の平均厚みは、５．６μｍ以下であり、
前記磁性層にはサーボパターンが記録され、前記サーボパターンの非直線性を示す統計値σSWは、２４ｎｍ以下である磁気記録媒体。
（２）
前記統計値σSWは、２３ｎｍ以下である（１）に記載の磁気記録媒体。
（３）
前記統計値σSWは、２０ｎｍ以下である（１）に記載の磁気記録媒体。
（４）
前記角形比は、７０％以上である（１）から（３）のいずれかに記載の磁気記録媒体。
（５）
前記算術平均粗さＲａは、２．２ｎｍ以下である（１）から（４）のいずれかに記載の磁気記録媒体。
（６）
前記磁気記録媒体に加わる張力が１．２Ｎであるときの前記磁性層の表面と磁気ヘッドの間の動摩擦係数μAと、前記磁気記録媒体に加わる張力が０．４Ｎであるときの前記磁性層の表面と前記磁気ヘッドの間の動摩擦係数μBとの摩擦係数比（μB／μA）は、１．０以上２．０以下である（１）から（５）のいずれかに記載の磁気記録媒体。
（７）
前記磁気記録媒体に加わる張力が０．６Ｎであるときの前記磁性層の表面と磁気ヘッドの間の動摩擦係数μCに関して、走行５回目の動摩擦係数μC（５）と走行１０００回目の動摩擦係数μC（１０００）との摩擦係数比（μC（１０００）／μC（５））は、１．０以上２．０以下である（１）から（６）のいずれかに記載の磁気記録媒体。
（８）
前記磁気記録媒体が洗浄、乾燥された状態において測定された、前記磁気記録媒体の全体の平均細孔直径は、６ｎｍ以上１１ｎｍ以下である（１）から（７）のいずれかに記載の磁気記録媒体。
（９）
長手方向における前記磁性層の保磁力Ｈｃは、２０００Ｏｅ以下である（１）から（８）のいずれかに記載の磁気記録媒体。
（１０）
前記磁性層は、５以上のサーボバンドを有する（１）から（９）のいずれかに記載の磁気記録媒体。
（１１）
前記表面の面積に対する前記サーボバンドの総面積の割合は、４．０％以下である（１０）に記載の磁気記録媒体。
（１２）
前記サーボバンドの幅は、９５μｍ以下である（１０）または（１１）に記載の磁気記録媒体。
（１３）
前記磁性層は、複数のデータトラックを形成可能に構成され、
前記データトラックの幅は、２．０μｍ以下である（１）から（１２）のいずれかに記載の磁気記録媒体。
（１４）
前記磁性層は、磁化反転間距離Ｌの最小値が４８ｎｍ以下となるようにデータを記録可能に構成されている（１）から（１３）のいずれかに記載の磁気記録媒体。
（１５）
前記基体の平均厚みは、４．２μｍ以下である（１）から（１４）のいずれかに記載の磁気記録媒体。
（１６）
前記潤滑剤が、脂肪酸および脂肪酸エステルから選ばれる少なくとも１種を含み、
前記脂肪酸が下記一般式（１）または（２）で示される化合物を含み、且つ、前記脂肪酸エステルが下記一般式（３）または（４）で示される化合物を含む（１）から（１５）のいずれかに記載の磁気記録媒体。
ＣＨ3（ＣＨ2）kＣＯＯＨ  ・・・（１）
（但し、前記一般式（１）において、ｋは１４以上２２以下の範囲から選ばれる整数である。）
ＣＨ3（ＣＨ2）nＣＨ＝ＣＨ（ＣＨ2）mＣＯＯＨ  ・・・（２）
（但し、前記一般式（２）において、ｎとｍとの和は１２以上２０以下の範囲から選ばれる整数である。）
ＣＨ3（ＣＨ2）pＣＯＯ（ＣＨ2）qＣＨ3  ・・・（３）
（但し、前記一般式（３）において、ｐは１４以上２２以下の範囲から選ばれる整数であり、ｑは２以上５以下の範囲から選ばれる整数である。）
ＣＨ3（ＣＨ2）rＣＯＯ−（ＣＨ2）sＣＨ（ＣＨ3）2  ・・・（４）
（但し、前記一般式（４）において、ｒは１４以上２２以下の範囲から選ばれる整数であり、ｓは１以上３以下の範囲から選ばれる整数である。）
（１７）
前記磁性層は、磁性粉を含み、
前記磁性粉は、六方晶フェライト、ε酸化鉄またはＣｏ含有スピネルフェライトを含む（１）から（１６）のいずれかに記載の磁気記録媒体。
（１８）
前記六方晶フェライトは、ＢａおよびＳｒのうちの少なくとも１種を含み、
前記ε酸化鉄は、ＡｌおよびＧａのうちの少なくとも１種を含む（１７）に記載の磁気記録媒体。
（１９）
（１）から（１８）のいずれかに記載された前記磁気記録媒体と、
前記磁気記録媒体の長手方向にかかるテンションを調整するための調整情報を書き込む領域を有する記憶部と
を備えるカートリッジ。
（２０）
記録再生装置と通信を行う通信部と、
前記通信部を介して前記記録再生装置から受信した前記調整情報を前記領域に記憶し、かつ、前記記録再生装置の要求に応じて、前記領域から前記調整情報を読み出し、前記通信部を介して前記記録再生装置に送信する制御部と
をさらに備える（１９）に記載のカートリッジ。
【符号の説明】
【０３４５】
１０    カートリッジ
１１    カートリッジメモリ
３１    アンテナコイル
３２    整流・電源回路
３３    クロック回路
３４    検波・変調回路
３５    コントローラ
３６    メモリ
３６Ａ    第１の記憶領域
３６Ｂ    第２の記憶領域
４１    基体
４２    下地層
４３    磁性層
４４    バック層
５０、５０Ａ    記録再生装置
５１    スピンドル５１
５２    リール５２
５３    スピンドル駆動装置
５４    リール駆動装置
５５    ガイドローラ
５６    磁気ヘッド
５７    リーダライタ
５８    通信インターフェース
５９    制御装置
６０    ネットワーク
６１    湿度計６１
６２    ＰＣ
６３    温度計
６４    湿度計
１００、１００Ａ    記録再生システム
１１０    サーボフレーム
１１１    サーボサブフレーム１
１１１Ａ    Ａバースト
１１１Ｂ    Ｂバースト
１１２    サーボサブフレーム２
１１２Ｃ    Ｃバースト
１１２Ｃ    Ｃバースト
１１３    サーボストライプ
ＭＴ    磁気テープ
ＳＢ    サーボバンド
ＤＢ    データバインド
【要約】
【課題】優れた走行安定性と電磁変換特性を両立することができる磁気記録媒体を提供する。
【解決手段】磁気記録媒体は、テープ状の磁気記録媒体であって、基体と、基体上に設けられた下地層と、下地層上に設けられた磁性層とを備える。基体は、ポリエステルを含み、下地層および磁性層は、潤滑剤を含み、磁性層は、多数の孔部が設けられた表面を有し、表面の算術平均粗さＲａは、２．５ｎｍ以下であり、磁気記録媒体が洗浄、乾燥された状態において測定された、磁気記録媒体の全体のＢＥＴ比表面積は、３．５ｍ2／ｇ以上７．０ｍ2／ｇ以下であり、磁性層の垂直方向における角形比は、６５％以上であり、磁性層の平均厚みは、８０ｎｍ以下であり、磁気記録媒体の平均厚みは、５．６μｍ以下であり、磁性層にはサーボパターンが記録され、サーボパターンの非直線性を示す統計値σSWは、２４ｎｍ以下である。
【選択図】図４【図１】
0006624332.tif 000015
【図２】
0006624332.tif 000016
【図３】
0006624332.tif 000017
【図４】
0006624332.tif 000018
【図５】
0006624332.tif 000019
【図６】
0006624332.tif 000020
【図７】
0006624332.tif 000021
【図８】
0006624332.tif 000022
【図９】
0006624332.tif 000023
【図１０】
0006624332.tif 000024
【図１１】
0006624332.tif 000025
【図１２】
0006624332.tif 000026
【図１３】
0006624332.tif 000027
【図１４】
0006624332.tif 000028
【図１５】
0006624332.tif 000029
【図１６】
0006624332.tif 000030
【図１７】
0006624332.tif 000031